(57)【要約】【課題】複数の記録層を有する書き換え可能な情報記録媒体に、再生専用の情報記録媒体との互換性を短時間で付与する。【解決手段】記録層Ｍ0のデータ領域の開始アドレスから連続してデータが記録されている領域を特定するためのＬＷＡと、記録層Ｍ1のデータ領域の終了アドレスまで連続してデータが記録されている領域を特定するためのＬＵＡと、を参照し、記録層Ｍ1のデータ領域におけるデータが記録されていない未記録領域にダミーデータを記録する（ステップ６２１、６３１）。そこで、コンテンツが記録された領域とダミーデータが記録された領域と未記録領域とが混在していても、未記録領域を容易に、かつ正確に特定することができるため、その結果再生専用の情報記録媒体との互換性を短時間で付与することが可能となる。【選択図】図１７
2006031740.tif 000002
【特許請求の範囲】
【請求項１】
第１の記録層と第２の記録層とを少なくとも有するディスク状の書き換え可能な情報記録媒体であって、
前記第１の記録層に設けられ、連続して増加するアドレスが割り振られた第１のデータ領域と；
前記第２の記録層に設けられ、前記第１のデータ領域とは逆向きに連続して増加するアドレスが割り振られた第２のデータ領域と；
前記第２のデータ領域の終了位置にその終了位置が一致している、データが記録されている前記第２のデータ領域内の領域を特定するための最終既記録領域情報が記録される領域を含む情報領域と；を有する情報記録媒体。
【請求項２】
前記情報領域は、前記第１のデータ領域と前記第２のデータ領域とからなる統合データ領域の開始位置から連続してデータが記録されている領域を特定するための先頭既記録領域情報が記録される領域を更に含むことを特徴とする請求項１に記載の情報記録媒体。
【請求項３】
前記情報領域は、前記第２のデータ領域内に設定されている基準位置から連続してデータが記録されている領域を特定するための基準既記録領域情報が記録される領域を更に含むことを特徴とする請求項１又は２に記載の情報記録媒体。
【請求項４】
第１の記録層と第２の記録層とを少なくとも有するディスク状の書き換え可能な情報記録媒体であって、
前記第１の記録層に設けられ、連続して増加するアドレスが割り振られた第１のデータ領域と；
前記第２の記録層に設けられ、前記第１のデータ領域とは逆向きに連続して増加するアドレスが割り振られた第２のデータ領域と；
前記第２のデータ領域の終了位置にその終了位置が一致している、データが記録されている前記第２のデータ領域内の領域を特定するための最終既記録領域情報を含む情報が記録されている情報領域と；を有する情報記録媒体。
【請求項５】
前記最終既記録領域情報は、前記第２のデータ領域の終了位置に最も近い位置に存在する前記第２のデータ領域内の未記録領域の終了位置に関する情報であることを特徴とする請求項４に記載の情報記録媒体。
【請求項６】
前記第２のデータ領域内に設定されている基準位置から連続してデータが記録されている領域を特定するための基準既記録領域情報が、更に前記情報領域に記録されていることを特徴とする請求項４又は５に記載の情報記録媒体。
【請求項７】
前記第１のデータ領域には、内周側から外周側に向かって増加するアドレスが割り振られ、前記第２のデータ領域には、外周側から内周側に向かって増加するアドレスが割り振られていることを特徴とする請求項４〜６のいずれか一項に記載の情報記録媒体。
【請求項８】
前記第１のデータ領域の開始位置から前記第２のデータ領域の終了位置までは、論理アドレスが連続していることを特徴とする請求項４〜７のいずれか一項に記載の情報記録媒体。
【請求項９】
前記第１のデータ領域と前記第２のデータ領域とからなる統合データ領域の開始位置から連続してデータが記録されている領域を特定するための先頭既記録領域情報が、更に前記情報領域に記録されていることを特徴とする請求項４〜８のいずれか一項に記載の情報記録媒体。
【請求項１０】
前記先頭既記録領域情報は、前記統合データ領域における前記開始位置から連続してデータが記録されている領域の終了位置に関する情報であることを特徴とする請求項９に記載の情報記録媒体。
【請求項１１】
前記第１の記録層において前記第１のデータ領域の開始位置から連続してデータが記録されている領域の終了位置を示す情報と、前記第２の記録層において前記第２のデータ領域の開始位置から連続してデータが記録されている領域の終了位置を示す情報とが、前記先頭既記録領域情報として記録されていることを特徴とする請求項９に記載の情報記録媒体。
【請求項１２】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に情報を記録する記録方法であって、
前記第２のデータ領域の終了位置にその終了位置が一致している、データが記録されている前記第２のデータ領域内の領域を特定するための最終既記録領域情報を前記情報記録媒体に記録する工程を含む記録方法。
【請求項１３】
前記第１のデータ領域と前記第２のデータ領域とからなる統合データ領域の開始位置から連続してデータが記録されている領域を特定するための先頭既記録領域情報を前記情報記録媒体に記録する工程を、更に含むことを特徴とする請求項１２に記載の記録方法。
【請求項１４】
前記第２のデータ領域内に設定されている基準位置から連続してデータが記録されている領域を特定するための基準既記録領域情報を前記情報記録媒体に記録する工程を、更に含むことを特徴とする請求項１２又は１３に記載の記録方法。
【請求項１５】
請求項９〜１１のいずれか一項に記載の情報記録媒体に情報を記録する記録方法であって、
前記情報記録媒体の情報領域に記録されている先頭既記録領域情報及び最終既記録領域情報を参照し、前記情報記録媒体に再生専用の情報記録媒体との互換性を付与するためのデータを記録する工程を含む記録方法。
【請求項１６】
請求項１〜１１のいずれか一項に記載の情報記録媒体の情報領域に記録される情報のデータ構造であって、
その終了位置が前記第２のデータ領域の終了位置と一致している、データが記録されている領域を特定するための情報を含むデータ構造。
【請求項１７】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置であって、
前記情報記録媒体の複数の記録層のうち、指定された記録層にデータを記録する記録手段と；
前記第２のデータ領域の終了位置にその終了位置が一致している、データが記録されている前記第２のデータ領域内の領域を特定するための最終既記録領域情報を、前記記録手段を介して前記情報記録媒体に記録する処理装置と；を備える情報記録装置。
【請求項１８】
前記最終既記録領域情報は、前記第２のデータ領域の終了位置に最も近い位置に存在する前記第２のデータ領域内の未記録領域の終了位置に関する情報であることを特徴とする請求項１７に記載の情報記録装置。
【請求項１９】
前記最終既記録領域情報は、前記第２のデータ領域にダミーデータが記録されると、該ダミーデータが記録された領域に応じて更新されることを特徴とする請求項１７又は１８に記載の情報記録装置。
【請求項２０】
前記第１のデータ領域の開始位置から前記第２のデータ領域の終了位置までは、論理アドレスが連続していることを特徴とする請求項１７〜１９のいずれか一項に記載の情報記録装置。
【請求項２１】
前記処理装置は、前記第１のデータ領域と前記第２のデータ領域とからなる統合データ領域の開始位置から連続してデータが記録されている領域を特定するための先頭既記録領域情報を、更に前記記録手段を介して前記情報記録媒体に記録することを特徴とする請求項１７〜２０のいずれか一項に記載の情報記録装置。
【請求項２２】
前記処理装置は、前記統合データ領域において、前記統合データ領域の開始位置から連続してデータが記録されている領域の終了位置に関する情報を前記先頭既記録領域情報として記録することを特徴とする請求項２１に記載の情報記録装置。
【請求項２３】
前記処理装置は、前記第１の記録層において前記第１のデータ領域の開始位置から連続してデータが記録されている領域の終了位置に関する情報と、前記第２の記録層において前記第２のデータ領域の開始位置から連続してデータが記録されている領域の終了位置に関する情報とを、前記先頭既記録領域情報として記録することを特徴とする請求項２１に記載の情報記録装置。
【請求項２４】
前記処理装置は、前記先頭既記録領域情報及び前記最終既記録領域情報を参照し、前記記録手段を介して、前記情報記録媒体に再生専用の情報記録媒体との互換性を付与するためのデータを更に記録することを特徴とする請求項２１〜２３のいずれか一項に記載の情報記録装置。
【請求項２５】
前記処理装置は、前記先頭既記録領域情報にて特定される領域が前記第１のデータ領域内にすべて含まれる場合に、前記書き換え可能な情報記録媒体の回転中心からの距離に関して、前記先頭既記録領域情報にて特定される領域の終了位置と同一距離にある前記第２のデータ領域内の位置から前記最終既記録領域情報にて特定される領域の開始位置までの領域に存在する未記録領域に、前記記録手段を介してダミーデータを記録することを特徴とする請求項２４に記載の情報記録装置。
【請求項２６】
前記処理装置は更に、前記記録手段を介して、前記第１のデータ領域における前記先頭既記録領域情報にて特定される領域に続く領域に中間領域を示すデータを記録するとともに、前記書き換え可能な情報記録媒体の回転中心からの距離に関して、前記中間領域と同一距離にある前記第２のデータ領域内の領域に中間領域を示すデータを記録することを特徴とする請求項２５に記載の情報記録装置。
【請求項２７】
前記処理手段は、前記第２のデータ領域におけるユーザデータが記録された領域を識別するための情報を含む識別情報を更に取得することを特徴とする請求項２４に記載の情報記録装置。
【請求項２８】
前記識別情報は、前記第１のデータ領域における未記録領域を識別するための情報を更に含むことを特徴とする請求項２７に記載の情報記録装置。
【請求項２９】
前記処理手段は、前記先頭既記録領域情報にて特定される領域以降におけるユーザデータが記録された領域を識別するための情報を含む識別情報を更に取得することを特徴とする請求項２４に記載の情報記録装置。
【請求項３０】
前記処理手段は、前記識別情報を参照し、前記最終既記録領域情報にて特定される領域内にユーザデータが記録されている場合に、前記先頭既記録領域情報にて特定される領域の終了位置から前記最終既記録領域情報にて特定される領域の開始位置までの領域に存在する未記録領域に、前記記録手段を介してダミーデータを記録することを特徴とする請求項２７〜２９のいずれか一項に記載の情報記録装置。
【請求項３１】
前記情報記録媒体の各記録層のデータ領域は、それぞれ複数の部分領域に分割され、
前記書き換え可能な情報記録媒体へのアクセス要求がないときに、前記記録手段を介して、部分領域毎にダミーデータの記録を行い、前記書き換え可能な情報記録媒体のフォーマット処理を行うフォーマット手段を、更に備えることを特徴とする請求項２１〜３０のいずれか一項に記載の情報記録装置。
【請求項３２】
前記フォーマット手段は、前記最終既記録領域情報にて特定される領域に隣接する未記録領域の終了位置が属する部分領域の開始位置を基準位置とし、該基準位置から連続してデータが記録されている領域を特定するための基準既記録領域情報を取得することを特徴とする請求項３１に記載の情報記録装置。
【請求項３３】
前記第２のデータ領域における部分領域毎に、部分領域の開始位置を基準位置とし、該基準位置から連続してデータが記録されている領域を特定するための領域情報がそれぞれ設定されており、
前記フォーマット手段は、前記複数の部分領域のうち、前記最終既記録領域情報にて特定される領域に隣接する未記録領域の終了位置が属する部分領域の領域情報を、基準既記録領域情報として取得することを特徴とする請求項３１に記載の情報記録装置。
【請求項３４】
前記フォーマット手段は、前記第２のデータ領域の部分領域にダミーデータを記録する際に、前記基準既記録領域情報によって特定される領域の終了位置から前記最終既記録領域情報にて特定される領域の開始位置までの領域に存在する未記録領域に、ダミーデータを記録することを特徴とする請求項３２又は３３に記載の情報記録装置。
【請求項３５】
前記処理装置は、前記記録手段を介して、前記基準既記録領域情報を前記書き換え可能な情報記録媒体に更に記録することを特徴とする請求項３２〜３４のいずれか一項に記載の情報記録装置。
【請求項３６】
前記第１のデータ領域には、内周側から外周側に向かって増加するアドレスが割り振られており、前記第２のデータ領域には、外周側から内周側に向かって増加するアドレスが割り振られており、
前記フォーマット手段は、前記先頭既記録領域情報にて特定される領域の終了位置が前記第１のデータ領域に属する場合に、前記先頭既記録領域情報にて特定される領域に隣接する未記録領域の開始位置が属する部分領域と、前記最終既記録領域情報にて特定される領域に隣接する未記録領域の終了位置が属する部分領域のうち、内周側に位置する部分領域から先にダミーデータの記録を行うことを特徴とする請求項３１〜３５のいずれか一項に記載の情報記録装置。
【請求項３７】
連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置に用いられるプログラムであって、
前記第２のデータ領域の終了位置にその終了位置が一致している、データが記録されている前記第２のデータ領域内の領域を特定するための最終既記録領域情報を前記情報記録媒体に記録する手順を、前記情報記録装置の制御用コンピュータに実行させるプログラム。
【請求項３８】
請求項３７に記載のプログラムが記録されたコンピュータ読み取り可能な記録媒体。
【発明の詳細な説明】
【技術分野】
【０００１】
本発明は、情報記録媒体、記録方法、データ構造、情報記録装置、プログラム及び記録媒体に係り、更に詳しくは、複数の記録層を有する書き換え可能な情報記録媒体、複数の記録層を有する書き換え可能な情報記録媒体に情報を記録する記録方法、前記情報記録媒体に記録される情報のデータ構造、複数の記録層を有する書き換え可能な情報記録媒体に対する情報記録が可能な情報記録装置、該情報記録装置で用いられるプログラム及び該プログラムが記録された記録媒体に関する。
【背景技術】
【０００２】
近年、デジタル技術の進歩及びデータ圧縮技術の向上に伴い、音楽、映画及び写真などの情報（以下「コンテンツ」ともいう）を記録するための情報記録媒体として、ＤＶＤ（digital versatile disc）などの光ディスクが注目されるようになり、その低価格化とともに、光ディスクにコンテンツを記録するための情報記録装置として光ディスク装置が普及するようになった。なお、情報記録媒体にアクセスするための装置は、総称して「ドライブ装置」とも呼ばれている。
【０００３】
現在市販されている記録可能な光ディスク（以下「記録型ディスク」ともいう）には、ＤＶＤ＋Ｒ及びＤＶＤ−Ｒなどの一度だけ記録できるいわゆる追記型ディスクと、ＤＶＤ＋ＲＷ及びＤＶＤ−ＲＷなどの書換え可能なディスクとがある。
【０００４】
また、コンテンツの情報量は年々増加する傾向にあり、記録型ディスクの記録容量の更なる増加が期待されている。そして、記録型ディスクの記録容量を増加させる手段として複数の記録層を有する記録型ディスク（以下「記録型多層ディスク」ともいう）及び該記録型多層ディスクを対象媒体とする装置の開発が盛んに行われている（例えば、特許文献１参照）。
【０００５】
なお、２つの記録層を有する再生専用の光ディスクとしては、片面２層ＤＶＤ−ＲＯＭが市販されている。この片面２層ＤＶＤ−ＲＯＭでは、一方からレーザ光を照射し、光ビームの焦点をそれぞれの記録層に合わせることで記録層毎の再生を行なっている。すなわち、ディスクを裏返すことなく情報の再生ができる。片面２層ＤＶＤ-ＲＯＭでは、２つの記録層（レイヤー０、レイヤー１とする）のいずれにもデータが記録されている必要がある。これは、例えばレイヤー０がデータの記録された記録層であり、レイヤー１がデータの記録されていない未記録層であると、レイヤー０をシーク中あるいは再生中に振動等によりレイヤー１にレーザ光が集光すると、アドレス情報が取得できなくてアドレスエラーとなり、その結果、不良ディスクと判断されて、再生が継続できなくなるおそれがあるからである。
【０００６】
ところで、再生専用の光ディスクに対応した従来のドライブ装置がすでに広く行き渡っているため、記録型多層ディスクに記録されたコンテンツは、従来のドライブ装置でも再生できることが重要である。すなわち、コンテンツが記録された記録型ディスクは再生専用の光ディスクとの論理的な互換性を有することが必要となる。
【０００７】
そこで、記録型多層ディスクにおいても、従来のドライブ装置で再生されることが予想される場合には、コンテンツが記録されていない未記録領域に何らかのデータを記録して、複数の記録層のいずれにもデータが記録されているようにする必要がある。しかしながら、記録型多層ディスクの記録容量に対してコンテンツの情報量が少ないときには、未記録領域へのデータ記録に多大の時間を要し、記録処理のパフォーマンス低下を招くおそれがある。特に、バックグラウンドでフォーマット処理を行う書換え可能な記録型多層ディスクでは、フォーマット処理が実際に完了する前にコンテンツの記録が可能となるため、コンテンツ記録後には、コンテンツが記録された領域とダミーデータが記録された領域と未記録領域とが混在することとなる。そして、再生専用の光ディスクとの論理的な互換性を付与する際に、すでにフォーマット処理にてダミーデータが記録された領域に、ダミーデータが上書きされる場合があり、記録処理のパフォーマンスが更に低下するおそれがある。
【０００８】
【特許文献１】特開平０８−０９６４０６号公報
【発明の開示】
【発明が解決しようとする課題】
【０００９】
本発明は、かかる事情の下になされたもので、その第１の目的は、再生専用の情報記録媒体との互換性を短時間で付与することができる、複数の記録層を有する書き換え可能な情報記録媒体を提供することにある。
【００１０】
また、本発明の第２の目的は、本発明に係る情報記録媒体に対して再生専用の情報記録媒体との互換性を短時間で付与することを可能とするデータ構造を提供することにある。
【００１１】
また、本発明の第３の目的は、複数の記録層を有する書き換え可能な情報記録媒体に対して、再生専用の情報記録媒体との互換性を短時間で付与することができる記録方法及び情報記録装置を提供することにある。
【００１２】
また、本発明の第４の目的は、情報記録装置の制御用コンピュータにて実行され、複数の記録層を有する書き換え可能な情報記録媒体に対して、再生専用の情報記録媒体との互換性を短時間で付与することを可能とするプログラム及びそのプログラムが記録された記録媒体を提供することにある。
【課題を解決するための手段】
【００１３】
請求項１に記載の発明は、第１の記録層と第２の記録層とを少なくとも有するディスク状の書き換え可能な情報記録媒体であって、前記第１の記録層に設けられ、連続して増加するアドレスが割り振られた第１のデータ領域と；前記第２の記録層に設けられ、前記第１のデータ領域とは逆向きに連続して増加するアドレスが割り振られた第２のデータ領域と；前記第２のデータ領域の終了位置にその終了位置が一致しているデータが記録されている前記第２のデータ領域内の領域を特定するための最終既記録領域情報が記録される領域を含む情報領域と；を有する情報記録媒体である。
【００１４】
なお、本明細書では、「開始位置」はその領域における最も小さい物理アドレス又は論理アドレスが割り振られた位置をいい、「終了位置」はその領域における最も大きい物理アドレス又は論理アドレスが割り振られた位置をいう。
【００１５】
これによれば、第２のデータ領域にデータが記録され、第２のデータ領域内にその終了位置が第２のデータ領域の終了位置に一致するデータが記録されている領域が存在すると、その領域を特定するための最終既記録領域情報を含む情報を情報記録媒体の情報領域に記録することができる。この場合には、最終既記録領域情報を参照して、第２のデータ領域内に存在するデータが記録されていない未記録領域を容易に検出することが可能となるため、コンテンツ（ユーザデータ）が記録された領域とダミーデータが記録された領域と未記録領域とが混在していても、結果として再生専用の情報記録媒体との互換性を短時間で付与することが可能となる。
【００１６】
この場合において、請求項２に記載の情報記録媒体の如く、前記情報領域は、前記第１のデータ領域と前記第２のデータ領域とからなる統合データ領域の開始位置から連続してデータが記録されている領域を特定するための先頭既記録領域情報が記録される領域を更に含むこととすることができる。
【００１７】
上記請求項１及び２に記載の各情報記録媒体において、請求項３に記載の情報記録媒体の如く、前記情報領域は、前記第２のデータ領域内に設定されている基準位置から連続してデータが記録されている領域を特定するための基準既記録領域情報が記録される領域を更に含むこととすることができる。
【００１８】
請求項４に記載の発明は、第１の記録層と第２の記録層とを少なくとも有するディスク状の書き換え可能な情報記録媒体であって、前記第１の記録層に設けられ、連続して増加するアドレスが割り振られた第１のデータ領域と；前記第２の記録層に設けられ、前記第１のデータ領域とは逆向きに連続して増加するアドレスが割り振られた第２のデータ領域と；前記第２のデータ領域の終了位置にその終了位置が一致しているデータが記録されている前記第２のデータ領域内の領域を特定するための最終既記録領域情報を含む情報が記録されている情報領域と；を有する情報記録媒体である。
【００１９】
これによれば、情報領域に最終既記録領域情報が記録されているため、第２の記録層のデータ領域におけるデータが記録されていない未記録領域を容易に取得することができる。この場合に、コンテンツ（ユーザデータ）が記録された領域とダミーデータが記録された領域と未記録領域とが混在していても、未記録領域を容易に、かつ正確に特定することができるため、結果として再生専用の情報記録媒体との互換性を短時間で付与することが可能となる。
【００２０】
この場合において、請求項５に記載の情報記録媒体の如く、前記最終既記録領域情報は、前記第２のデータ領域の終了位置に最も近い位置に存在する前記第２のデータ領域内の未記録領域の終了位置に関する情報であることとすることができる。
【００２１】
上記請求項４及び５に記載の各情報記録媒体において、請求項６に記載の情報記録媒体の如く、前記第２のデータ領域内に設定されている基準位置から連続してデータが記録されている領域を特定するための基準既記録領域情報が、更に前記情報領域に記録されていることとすることができる。
【００２２】
上記請求項４〜６に記載の各情報記録媒体において、請求項７に記載の情報記録媒体の如く、前記第１のデータ領域には、内周側から外周側に向かって増加するアドレスが割り振られ、前記第２のデータ領域には、外周側から内周側に向かって増加するアドレスが割り振られていることとすることができる。
【００２３】
上記請求項４〜７に記載の各情報記録媒体において、請求項８に記載の情報記録媒体の如く、前記第１のデータ領域の開始位置から前記第２のデータ領域の終了位置までは、論理アドレスが連続していることとすることができる。
【００２４】
上記請求項４〜８に記載の各情報記録媒体において、請求項９に記載の情報記録媒体の如く、前記第１のデータ領域と前記第２のデータ領域とからなる統合データ領域の開始位置から連続してデータが記録されている領域を特定するための先頭既記録領域情報が、更に前記情報領域に記録されていることとすることができる。
【００２５】
この場合において、請求項１０に記載の情報記録媒体の如く、前記先頭既記録領域情報は、前記統合データ領域における前記開始位置から連続してデータが記録されている領域の終了位置に関する情報であることとすることができる。
【００２６】
上記請求項９に記載の情報記録媒体において、請求項１１に記載の情報記録媒体の如く、前記第１の記録層において前記第１のデータ領域の開始位置から連続してデータが記録されている領域の終了位置を示す情報と、前記第２の記録層において前記第２のデータ領域の開始位置から連続してデータが記録されている領域の終了位置を示す情報とが、前記先頭既記録領域情報として記録されていることとすることができる。
【００２７】
請求項１２に記載の発明は、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に情報を記録する記録方法であって、
前記第２のデータ領域の終了位置にその終了位置が一致している、データが記録されている前記第２のデータ領域内の領域を特定するための最終既記録領域情報を前記情報記録媒体に記録する工程を含む記録方法である。
【００２８】
これによれば、最終既記録領域情報が情報記録媒体に記録されるため、この最終既記録領域情報を参照して第２の記録層のデータ領域におけるデータが記録されていない未記録領域を容易に取得することが可能となる。そこで、コンテンツ（ユーザデータ）が記録された領域とダミーデータが記録された領域と未記録領域とが混在していても、結果として複数の記録層を有する書き換え可能な情報記録媒体に、再生専用の情報記録媒体との互換性を短時間で付与することが可能となる。
【００２９】
この場合において、請求項１３に記載の記録方法の如く、前記第１のデータ領域と前記第２のデータ領域とからなる統合データ領域の開始位置から連続してデータが記録されている領域を特定するための先頭既記録領域情報を前記情報記録媒体に記録する工程を、更に含むこととすることができる。
【００３０】
上記請求項１２及び１３に記載の記録方法において、請求項１４に記載の記録方法の如く、前記第２のデータ領域内に設定されている基準位置から連続してデータが記録されている領域を特定するための基準既記録領域情報を前記情報記録媒体に記録する工程を、更に含むこととすることができる。
【００３１】
請求項１５に記載の発明は、請求項９〜１１のいずれか一項に記載の情報記録媒体に情報を記録する記録方法であって、前記情報記録媒体の情報領域に記録されている先頭既記録領域情報及び最終既記録領域情報を参照し、前記情報記録媒体に再生専用の情報記録媒体との互換性を付与するためのデータを記録する工程を含む記録方法である。
【００３２】
これによれば、請求項９〜１１のいずれか一項に記載の情報記録媒体に記録されている先頭既記録領域情報及び最終既記録領域情報を参照し、再生専用の情報記録媒体との互換性を付与するためのデータが記録される。この場合には、コンテンツが記録された領域とダミーデータが記録された領域と未記録領域とが混在していても、未記録領域を容易に、かつ正確に特定することができるため、結果として請求項９〜１１のいずれか一項に記載の情報記録媒体に、再生専用の情報記録媒体との互換性を短時間で付与することが可能となる。
【００３３】
請求項１６に記載の発明は、請求項１〜１１のいずれか一項に記載の情報記録媒体の情報領域に記録される情報のデータ構造であって、その終了位置が前記第２のデータ領域の終了位置と一致している、データが記録されている領域を特定するための情報を含むデータ構造である。
【００３４】
これによれば、請求項１〜１１のいずれか一項に記載の情報記録媒体の情報領域に記録される情報は、その終了位置が第２のデータ領域の終了位置と一致している、データが記録されている領域を特定するための情報を含んでいる。この場合に、情報を参照して、第２の記録層のデータ領域におけるデータが記録されていない未記録領域を容易に特定することが可能となる。そこで、コンテンツ（ユーザデータ）が記録された領域とダミーデータが記録された領域と未記録領域とが混在していても、結果として請求項１〜１１のいずれか一項に記載の情報記録媒体に、再生専用の情報記録媒体との互換性を短時間で付与することが可能となる。
【００３５】
請求項１７に記載の発明は、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置であって、前記情報記録媒体の複数の記録層のうち、指定された記録層にデータを記録する記録手段と；前記第２のデータ領域の終了位置にその終了位置が一致している、データが記録されている前記第２のデータ領域内の領域を特定するための最終既記録領域情報を、前記記録手段を介して前記情報記録媒体に記録する処理装置と；を備える情報記録装置である。
【００３６】
これによれば、処理装置により、記録手段を介して最終既記録領域情報が情報記録媒体に記録されるため、最終既記録領域情報から、情報記録媒体の第２の記録層のデータ領域におけるデータが記録されていない未記録領域を容易に特定することが可能となる。そこで、コンテンツ（ユーザデータ）が記録された領域とダミーデータが記録された領域と未記録領域とが混在していても、結果として複数の記録層を有する書き換え可能な情報記録媒体に、再生専用の情報記録媒体との互換性を短時間で付与することが可能となる。
【００３７】
この場合において、請求項１８に記載の情報記録装置の如く、前記最終既記録領域情報は、前記第２のデータ領域の終了位置に最も近い位置に存在する前記第２のデータ領域内の未記録領域の終了位置に関する情報であることとすることができる。
【００３８】
上記請求項１７及び１８に記載の各情報記録装置において、請求項１９に記載の情報記録装置の如く、前記最終既記録領域情報は、前記第２のデータ領域にダミーデータが記録されると、該ダミーデータが記録された領域に応じて更新されることとすることができる。
【００３９】
上記請求項１７〜１９に記載の各情報記録装置において、請求項２０に記載の情報記録装置の如く、前記第１のデータ領域の開始位置から前記第２のデータ領域の終了位置までは、論理アドレスが連続していることとすることができる。
【００４０】
上記請求項１７〜２０に記載の各情報記録装置において、請求項２１に記載の情報記録装置の如く、前記処理装置は、前記第１のデータ領域と前記第２のデータ領域とからなる統合データ領域の開始位置から連続してデータが記録されている領域を特定するための先頭既記録領域情報を、更に前記記録手段を介して前記情報記録媒体に記録することとすることができる。
【００４１】
この場合において、請求項２２に記載の情報記録装置の如く、前記処理装置は、前記統合データ領域において、前記統合データ領域の開始位置から連続してデータが記録されている領域の終了位置に関する情報を前記先頭既記録領域情報として記録することとすることができる。
【００４２】
上記請求項２１に記載の情報記録装置において、請求項２３に記載の情報記録装置の如く、前記処理装置は、前記第１の記録層において前記第１のデータ領域の開始位置から連続してデータが記録されている領域の終了位置に関する情報と、前記第２の記録層において前記第２のデータ領域の開始位置から連続してデータが記録されている領域の終了位置に関する情報とを、前記先頭既記録領域情報として記録することとすることができる。
【００４３】
上記請求項２１〜２３に記載の各情報記録装置において、請求項２４に記載の情報記録装置の如く、前記処理装置は、前記先頭既記録領域情報及び前記最終既記録領域情報を参照し、前記記録手段を介して、前記情報記録媒体に再生専用の情報記録媒体との互換性を付与するためのデータを更に記録することとすることができる。
【００４４】
この場合において、請求項２５に記載の情報記録装置の如く、前記処理装置は、前記先頭既記録領域情報にて特定される領域が前記第１のデータ領域内にすべて含まれる場合に、前記書き換え可能な情報記録媒体の回転中心からの距離に関して、前記先頭既記録領域情報にて特定される領域の終了位置と同一距離にある前記第２のデータ領域内の位置から前記最終既記録領域情報にて特定される領域の開始位置までの領域に存在する未記録領域に、前記記録手段を介してダミーデータを記録することとすることができる。
【００４５】
この場合において、請求項２６に記載の情報記録装置の如く、前記処理装置は更に、前記記録手段を介して、前記第１のデータ領域における前記先頭既記録領域情報にて特定される領域に続く領域に中間領域を示すデータを記録するとともに、前記書き換え可能な情報記録媒体の回転中心からの距離に関して、前記中間領域と同一距離にある前記第２のデータ領域内の領域に中間領域を示すデータを記録することとすることができる。
【００４６】
上記請求項２４に記載の情報記録装置において、請求項２７に記載の情報記録装置の如く、前記処理手段は、前記第２のデータ領域におけるユーザデータが記録された領域を識別するための情報を含む識別情報を更に取得することとすることができる。
【００４７】
この場合において、請求項２８に記載の情報記録装置の如く、前記識別情報は、前記第１のデータ領域における未記録領域を識別するための情報を更に含むこととすることができる。
【００４８】
上記請求項２４に記載の情報記録装置において、請求項２９に記載の情報記録装置の如く、前記処理手段は、前記先頭既記録領域情報にて特定される領域以降におけるユーザデータが記録された領域を識別するための情報を含む識別情報を更に取得することとすることができる。
【００４９】
上記請求項２７〜２９に記載の各情報記録装置において、請求項３０に記載の情報記録装置の如く、前記処理手段は、前記識別情報を参照し、前記最終既記録領域情報にて特定される領域内にユーザデータが記録されている場合に、前記先頭既記録領域情報にて特定される領域の終了位置から前記最終既記録領域情報にて特定される領域の開始位置までの領域に存在する未記録領域に、前記記録手段を介してダミーデータを記録することとすることができる。
【００５０】
上記請求項２１〜３０に記載の各情報記録装置において、請求項３１に記載の情報記録装置の如く、前記情報記録媒体の各記録層のデータ領域は、それぞれ複数の部分領域に分割され、前記書き換え可能な情報記録媒体へのアクセス要求がないときに、前記記録手段を介して、部分領域毎にダミーデータの記録を行い、前記書き換え可能な情報記録媒体のフォーマット処理を行うフォーマット手段を、更に備えることとすることができる。
【００５１】
この場合において、請求項３２に記載の情報記録装置の如く、前記フォーマット手段は、前記最終既記録領域情報にて特定される領域に隣接する未記録領域の終了位置が属する部分領域の開始位置を基準位置とし、該基準位置から連続してデータが記録されている領域を特定するための基準既記録領域情報を取得することとすることができる。
【００５２】
上記請求項３１に記載の情報記録装置において、請求項３３に記載の情報記録装置の如く、前記第２のデータ領域における部分領域毎に、部分領域の開始位置を基準位置とし、該基準位置から連続してデータが記録されている領域を特定するための領域情報がそれぞれ設定されており、前記フォーマット手段は、前記複数の部分領域のうち、前記最終既記録領域情報にて特定される領域に隣接する未記録領域の終了位置が属する部分領域の領域情報を、基準既記録領域情報として取得することとすることができる。
【００５３】
上記請求項３２及び３３に記載の各情報記録装置において、請求項３４に記載の情報記録装置の如く、前記フォーマット手段は、前記第２のデータ領域の部分領域にダミーデータを記録する際に、前記基準既記録領域情報によって特定される領域の終了位置から前記最終既記録領域情報にて特定される領域の開始位置までの領域に存在する未記録領域に、ダミーデータを記録することとすることができる。
【００５４】
上記請求項３２〜３４に記載の各情報記録装置において、請求項３５に記載の情報記録装置の如く、前記処理装置は、前記記録手段を介して、前記基準既記録領域情報を前記書き換え可能な情報記録媒体に更に記録することとすることができる。
【００５５】
上記請求項３１〜３５に記載の各情報記録装置において、請求項３６に記載の情報記録装置の如く、前記第１のデータ領域には、内周側から外周側に向かって増加するアドレスが割り振られており、前記第２のデータ領域には、外周側から内周側に向かって増加するアドレスが割り振られており、前記フォーマット手段は、前記先頭既記録領域情報にて特定される領域の終了位置が前記第１のデータ領域に属する場合に、前記先頭既記録領域情報にて特定される領域に隣接する未記録領域の開始位置が属する部分領域と、前記最終既記録領域情報にて特定される領域に隣接する未記録領域の終了位置が属する部分領域のうち、内周側に位置する部分領域から先にダミーデータの記録を行うこととすることができる。
【００５６】
請求項３７に記載の発明は、連続して増加するアドレスが割り振られた第１のデータ領域を含む第１の記録層と、前記第１のデータ領域とは逆向きに連続して増加するアドレスが割り振られた第２のデータ領域を含む第２の記録層と、を少なくとも有するディスク状の書き換え可能な情報記録媒体に記録可能な情報記録装置に用いられるプログラムであって、前記第２のデータ領域の終了位置にその終了位置が一致しているデータが記録されている前記第２のデータ領域内の領域を特定するための最終既記録領域情報を前記情報記録媒体に記録する手順を、前記情報記録装置の制御用コンピュータに実行させるプログラムである。
【００５７】
これによれば、本発明のプログラムが所定のメモリにロードされ、その開始アドレスがプログラムカウンタにセットされると、情報記録装置の制御用コンピュータは、最終既記録領域情報を情報記録媒体に記録する。これにより、最終既記録領域情報から、情報記録媒体の第２の記録層のデータ領域におけるデータが記録されていない未記録領域を容易に特定することが可能となる。そこで、コンテンツ（ユーザデータ）が記録された領域とダミーデータが記録された領域と未記録領域とが混在していても、結果として複数の記録層を有する書き換え可能な情報記録媒体に、再生専用の情報記録媒体との互換性を短時間で付与することが可能となる。
【００５８】
請求項３８に記載の発明は、請求項３７に記載のプログラムが記録されたコンピュータ読み取り可能な記録媒体である。
【００５９】
これによれば、請求項３７に記載のプログラムが記録されているために、コンピュータに実行させることにより、複数の記録層を有する書き換え可能な情報記録媒体に、再生専用の情報記録媒体との互換性を短時間で付与することが可能となる。
【発明を実施するための最良の形態】
【００６０】
以下、本発明の一実施形態を図１〜図２０に基づいて説明する。図１には、本発明の一実施形態に係る情報記録装置としての光ディスク装置２０の概略構成が示されている。
【００６１】
この図１に示される光ディスク装置２０は、複数の記録層を有する本発明の一実施形態に係る情報記録媒体としての光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。
【００６２】
前記光ピックアップ装置２３は、光ディスク１５の複数の記録層のうちアクセス対象となる記録層（以下「対象記録層」と略述する）にレーザ光を集光するとともに、その対象記録層からの反射光を受光するための装置である。この光ピックアップ装置２３は、半導体レーザ、対物レンズを含み前記半導体レーザから出射された光束を光ディスク１５の対象記録層に導くとともに、前記対象記録層で反射された戻り光束を所定の受光位置まで導く光学系、前記受光位置に配置され前記戻り光束を受光する受光器、及び駆動系（フォーカシングアクチュエータ及びトラッキングアクチュエータ）（いずれも図示省略）などを含んで構成されている。前記受光器は複数の受光素子（又は受光領域）を有し、それぞれでの受光量に応じた信号が再生信号処理回路２８に出力される。
【００６３】
前記再生信号処理回路２８は、前記受光器の出力信号に基づいて、サーボ信号（フォーカスエラー信号やトラックエラー信号など）、アドレス情報、同期信号、及びＲＦ信号などを取得する。ここで得られたサーボ信号は前記駆動制御回路２６に出力され、アドレス情報はＣＰＵ４０に出力され、同期信号はエンコーダ２５や駆動制御回路２６などに出力される。さらに、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００６４】
前記駆動制御回路２６は、再生信号処理回路２８からのトラックエラー信号に基づいて、トラッキング方向に関する対物レンズの位置ずれを補正するための前記トラッキングアクチュエータの駆動信号を生成するとともに、フォーカスエラー信号に基づいて、対物レンズのフォーカスずれを補正するための前記フォーカシングアクチュエータの駆動信号を生成する。ここで生成された各駆動信号は光ピックアップ装置２３に出力される。これにより、トラッキング制御及びフォーカス制御が行われる。また、駆動制御回路２６は、ＣＰＵ４０の指示に基づいて、シークモータ２１を駆動するための駆動信号、及びスピンドルモータ２２を駆動するための駆動信号を生成する。各駆動信号は、それぞれシークモータ２１及びスピンドルモータ２２に出力される。
【００６５】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００６６】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００６７】
前記レーザ制御回路２４は、前記光ピックアップ装置２３を構成する半導体レーザの発光パワーを制御する。例えば記録の際には、前記書き込み信号、記録条件、及び半導体レーザの発光特性などに基づいて、半導体レーザの駆動信号がレーザ制御回路２４にて生成される。
【００６８】
前記インターフェース３８は、上位装置９０（例えば、パソコン）との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００６９】
前記フラッシュメモリ３９には、ＣＰＵ４０にて解読可能なコードで記述された本発明に係るプログラムを含む各種プログラム、記録パワーや記録ストラテジ情報を含む記録条件、及び半導体レーザの発光特性などが格納されている。
【００７０】
前記ＣＰＵ４０は、フラッシュメモリ３９に格納されている上記プログラムに従って前記各部の動作を制御するとともに、制御に必要なデータなどをＲＡＭ４１及びバッファＲＡＭ３４に保存する。
【００７１】
ここで、現在市販されている再生専用の情報記録媒体として、ＤＶＤ−ＲＯＭについて説明する。ＤＶＤ−ＲＯＭには記録層が１つのシングルレイヤーディスク（Single Layer Disc、以下「１層ＤＶＤ」ともいう）と、記録層が２つ（レイヤー０、レイヤー１とする）のデュアルレイヤーディスク（Dual Layer Disc、以下「２層ＤＶＤ」ともいう）とがある。２層ＤＶＤはさらに、トラックパス（再生走査経路）により、パラレルトラックパス（Parallel track path、以下「ＰＴＰ」という）方式と、オポジットトラックパス（Opposite track path、以下「ＯＴＰ」という）方式の２種類に分けられる。
【００７２】
１層ＤＶＤでは、図２に示されるように、その記録層に、ディスクの内周側から外周側に向かって、リードイン領域、データ領域、リードアウト領域からなるインフォメーション領域が設けられている。そして、リードイン領域からリードアウト領域へ向かって、すなわち、ディスクの内周側から外周側に向かって連続して増加する物理アドレス（ＰＢＡ）が割り振られている。また、トラックパスは、リードイン領域からリードアウト領域に向かっている。
【００７３】
ＰＴＰ方式の２層ＤＶＤでは、図３に示されるように、各記録層に、ディスクの内周側から外周側に向かって、リードイン領域、データ領域、リードアウト領域からなるインフォメーション領域がそれぞれ設けられている。すなわち、ＰＴＰ方式の２層ＤＶＤでは、記録層毎にインフォメーション領域を有し、各記録層は互いに独立した記録層と捉えることができる。そして、各記録層では、リードイン領域からリードアウト領域へ向かって、連続して増加する物理アドレスがそれぞれ割り振られている。また、トラックパスは、各記録層ともにリードイン領域からリードアウト領域に向かっている。
【００７４】
また、図３に示されるように、各記録層におけるリードイン領域の開始位置と終了位置、各記録層におけるデータ領域の開始位置、及び各記録層におけるリードアウト領域の終了位置は、それぞれ互いに同一半径位置にある。一方、各記録層におけるリードアウト領域の開始位置、言い換えると、データ領域の終了位置は、記録層毎に互いに異なる場合がある。各記録層におけるデータ領域の終了位置が互いに異なる場合には、図３に示されるように、その差分の領域にはリードアウトが記録される。なお、本実施形態では、半径位置はディスクの回転中心を基準としている。
【００７５】
ＯＴＰ方式の２層ＤＶＤでは、図４に示されるように、レイヤー０に、ディスクの内周側から外周側に向かって、リードイン領域、データ領域、中間領域が設けられ、レイヤー１に、ディスクの外周側から内周側に向かって、中間領域、データ領域、リードアウト領域が設けられている。すなわち、ＯＴＰ方式の２層ＤＶＤでは、１つのインフォメーション領域を有し、各記録層は連続した１つの記録層と捉えることができる。そして、レイヤー０では、リードイン領域から中間領域へ向かって連続して増加する物理アドレスが割り振られ、レイヤー１では、中間領域からリードアウト領域へ向かって、レイヤー０の物理アドレスをビット反転したアドレスが割り振られている。すなわち、レイヤー１では、中間領域からリードアウト領域に向かって物理アドレスが連続して増加している。
【００７６】
また、トラックパスは、レイヤー０のリードイン領域からデータ領域を走査して中間領域に向かい、レイヤー０の中間領域に達したらレイヤー１に移り、レイヤー１の中間領域からレイヤー１のデータ領域を走査してリードアウト領域に向かっている。この場合には、レイヤー０とレイヤー１とは連続した１つのレイヤーとして扱われる。
【００７７】
そして、図４に示されるように、リードイン領域の開始位置とリードアウト領域の終了位置、レイヤー０のデータ領域の終了位置とレイヤー１のデータ領域の開始位置、及び各記録層の中間領域の開始位置及び終了位置は、それぞれ互いに同一半径位置にある。一方、図４に示されるように、レイヤー０のデータ領域の開始位置とレイヤー１のデータ領域の終了位置とは必ずしも一致しない。この場合も、ＰＴＰ方式の２層ＤＶＤと同様に、その差分領域にはリードアウトが記録される。
【００７８】
次に、バックグラウンドフォーマット（以下「ＢＧＦ」ともいう）処理について図５〜図７（Ｂ）を用いて説明する。ここでは、ＢＧＦ処理が行われる情報記録媒体として、ＤＶＤ＋ＲＷを例に説明する。
【００７９】
ＤＶＤ＋ＲＷは、基本的には前述した１つの記録層を有するＤＶＤ−ＲＯＭ（１層ＤＶＤ）と同じレイアウトの記録層を有している。すなわち、ＤＶＤ＋ＲＷの記録層には、ディスクの内周側から外周側に向かって、リードイン領域、データ領域、リードアウト領域からなるインフォメーション領域が設けられている。そして、ユーザデータはデータ領域に記録される。リードイン領域には、一例として図５に示されるように、ＤＶＤ＋ＲＷ特有の情報として、ＢＧＦ処理及びＢＧＦ処理中に記録された領域などを管理するための管理情報が記録される管理情報領域が存在する。
【００８０】
ＤＶＤ＋ＲＷにおける管理情報は、図８に示されるように、「識別ＩＤ」、「未知の識別ＩＤに対する制約情報」、「ドライブＩＤ」、「更新回数」、「フォーマットステータス」、「ラストリトゥンアドレス（ＬＷＡ）」、「ラストベリファイドアドレス（ＬＶＡ）」、「ビットマップ開始アドレス」、「ビットマップ長」、「ディスクＩＤ」、及び「ビットマップ」などから構成されている。
【００８１】
前記「識別ＩＤ」には管理情報の識別ＩＤが格納される。前記「未知の識別ＩＤに対する制約情報」には前記識別ＩＤが未知のＩＤであった場合にドライブ装置が制限すべき動作に関する情報が格納される。この制約情報としては、一例として、データ領域への記録の禁止、フォーマットの禁止などがある。前記「ドライブＩＤ」には当該管理情報を記録したドライブ装置を識別するためのＩＤ情報が格納される。前記「更新回数」には当該管理情報の更新回数が格納される。前記「フォーマットステータス」にはＢＧＦ処理の状態に関する情報が格納される。このＢＧＦ処理の状態には、一例として、フォーマット前の状態、フォーマット途中の状態、フォーマットが完了した状態などがある。前記「ラストリトゥンアドレス（ＬＷＡ）」にはデータ領域の開始アドレスから連続的に記録が行われている領域の終了アドレスが格納される。ＢＧＦ処理を再開する場合にはＬＷＡが示すアドレスに続くアドレス位置からダミーデータが記録される。前記「ラストベリファイドアドレス（ＬＶＡ）」にはデータ領域の開始アドレスから連続的にベリファイが行われている領域の終了アドレスが格納されている。ベリファイを行わない場合は、本領域には「００００００００ｈ」が記録される。前記「ビットマップ開始アドレス」にはビットマップ情報の最初のビットに対応したデータ領域内のアドレスが格納される。前記「ビットマップ長」にはビットマップ情報により記録／未記録の状態が管理されているデータ領域のサイズが格納される。前記「ディスクＩＤ」には当該ディスクのＩＤが格納される。前記「ビットマップ」にはビットマップ情報が格納される。
【００８２】
ＢＧＦ処理では、ユーザからのフォーマット要求に対して、リードインの一部を記録した（イニシャル処理）だけでユーザに対してフォーマット完了が通知される。つまり、ユーザにとってはイニシャル処理が完了した時点で、見かけ上フォーマットが完了したものとみなすことができる。従って、イニシャル処理の完了後は、ユーザはデータ領域内の全領域に対してデータの記録及び再生を行うことが可能となる。これにより、ブランクディスクであっても、短時間でユーザデータの記録が可能となり、ユーザの使い勝手が飛躍的に向上した。なお、イニシャル処理が完了した時点では、一例として図６（Ａ）に示されるように、ＬＷＡには初期値としてリードイン領域の終了アドレスがセットされている。また、データ領域内は全て未記録であるため、ビットマップ情報の全てのビット値に“１”、すなわち未記録を示す情報がセットされている。
【００８３】
その後、ユーザからの記録要求又は再生要求がない時間を利用して、一例として図６（Ｂ）に示されるように、データ領域の未記録領域にダミーデータ（Dummy Data）が内周側から外周側に向かって記録される。ＤＶＤ＋ＲＷではＢＧＦ処理でのダミーデータの記録はディアイス（De−ice）処理と呼ばれている。ディアイス処理はデータ領域の開始位置から連続的に行われるため、ＬＷＡはディアイス処理により更新される。また、ダミーデータが記録された領域に対応したビットマップ情報のビット値は“０”、すなわち記録済みを示す情報に変更される（図６（Ｂ）参照）。
【００８４】
ＢＧＦ処理中に、ユーザからユーザデータの記録要求があると、ディアイス処理は停止（中断）され、ユーザデータの記録が行われる。ここで、データ領域のすべてに対してユーザデータの記録が可能であるため、一例として図６（Ｃ）に示されるように、ディアイス処理前の未記録領域に対してユーザデータの記録が行われる場合もある。そして、ユーザデータが記録された領域に対応するビットマップ情報のビット値が“０”に変更される（図６（Ｃ）参照）。
【００８５】
ユーザデータの記録が完了すると、ディアイス処理が再開される。ここでは、ディアイス処理の開始アドレスとしてＬＷＡが参照される。そして、ビットマップ情報を参照することにより未記録領域が特定される。これにより、再開されたディアイス処理では、一例として図７（Ａ）に示されるように、ＬＷＡ以降の未記録領域に対してダミーデータの記録が行われる。そして、ダミーデータの記録に伴いＬＷＡ及びビットマップ情報は更新される。このように、ビットマップ情報により、ディアイス処理を再開した際に、ＬＷＡ以降に存在するユーザデータをダミーデータで上書きすることを防止できる。
【００８６】
また、ＤＶＤ＋ＲＷでは、ＢＧＦ処理を中断してディスクを取り出す（排出する）ことも可能となっている。この場合には、データ領域に既記録領域と未記録領域とが混在する状態のままでディスクを取り出すことも可能であるが、この状態ではＤＶＤ−ＲＯＭと論理的な互換性を保証することができない。これは、前述したようにＤＶＤ−ＲＯＭでは、リードイン領域、データ領域、及びリードアウト領域からなるインフォメーション領域が存在し、インフォメーション領域内は全てデータが記録されている必要があるためである。
【００８７】
そこで、ＤＶＤ＋ＲＷでは、以下の手順を行うことによりＢＧＦ処理の途中の状態であっても、ＤＶＤ−ＲＯＭとの論理的な互換性を保証している。
【００８８】
先ず、ビットマップ情報を参照し、データ領域内に間欠的に存在する未記録領域にダミーデータを記録する。この結果、ＬＷＡは、最も外周側にある既記録領域の終了アドレスに更新される。次に、ＬＷＡ以降の領域に一時的なリードアウト（Temporary Lead−out、以下「ＴＬＯ」という）を記録する。これにより、フォーマット途中の状態であっても、一例として図７（Ｂ）に示されるように、リードイン領域、（ＬＷＡまでの）データ領域、（一時的な）リードアウト領域からなるインフォメーション領域が形成され、再生専用のＤＶＤドライブ装置（従来のドライブ装置）で再生を行うことが可能となる。一般にデータ領域とリードアウト領域とでは異なる属性を有するデータが記録される。ＤＶＤ＋ＲＷでは、ＴＬＯとしてリードアウト領域であることを示す属性を有するデータが記録される。なお、図７（Ｂ）に示されるように、ＴＬＯが記録された領域に対応したビットマップ情報のビット値は“１”のままとしているため、このディスクが再び挿入された場合には、ＬＷＡに続くアドレスからディアイス処理が再開され、ＴＬＯはダミーデータで上書きされることとなる。
【００８９】
ここで、前記ビットマップ情報の詳細について説明する。前述したようにＢＧＦ処理では、イニシャル処理が完了すると、データ領域内の全領域に対してユーザからのユーザデータの記録が可能になる。つまり、ディアイス処理によるダミーデータの記録前の領域であってもユーザデータの記録が可能であるため、ＢＧＦ処理中にユーザデータの記録を行った場合、データ領域には既記録領域と未記録領域とが混在することになる。このような状態でディアイス処理を再開する場合には、ユーザデータが記録されている領域を除いてダミーデータを記録する必要がある。このために設けられたのがビットマップ情報である。例えばＤＶＤ＋ＲＷの場合には、データ領域を記録単位である１ＥＣＣブロック（１６セクタ）の領域（以下「ブロック領域」ともいう）毎に仮想的に分割し、ビットマップ情報の１ビットを１ブロック領域に対応させている。すなわち、１ビットのフラグによって、そのブロック領域の記録／未記録の状態を識別している。なお、図６（Ａ）〜図７（Ｂ）では、便宜上１ビットが複数のブロック領域に対応しているように図示されている。そして、ユーザデータが記録されると、当該ユーザデータが記録された領域（ブロック領域）に対応するビットマップ情報のビット値を“０”に変更する。その後、ディアイス処理を再開する場合には、このビットマップ情報を参照して未記録領域にのみダミーデータの記録を行う。これにより、ＢＧＦ処理中に記録されたユーザデータをダミーデータで上書きすることを防止できる。
【００９０】
次に、本実施形態で用いられる前記光ディスク１５について説明する。この光ディスク１５は、一例としてＤＶＤ系の書き換え可能な情報記録媒体と同等の物理的性質を有し、図９に示されるように、光束の入射側から順に、基板Ｌ0、記録層Ｍ0（第１の記録層）、中間層ＭＬ、記録層Ｍ1（第２の記録層）、基板Ｌ1などを有している。また、記録層Ｍ0と中間層ＭＬとの間には金や誘電体などで形成された半透明膜ＭＢ0があり、記録層Ｍ1と基板Ｌ1との間にはアルミニウムなどで形成された反射膜ＭＢ1がある。中間層ＭＬには、照射される光束に対して透過率が高く、基板の屈折率に近い屈折率を有する紫外線硬化型の樹脂材料が用いられる。なお、各記録層にはスパイラル状又は同心円状のトラックがそれぞれ形成されている。すなわち、光ディスク１５は片面２層の書き換え可能なディスクである。
【００９１】
また、光ディスク１５のインフォメーション領域のレイアウトは、一例として図１０に示されるように、前記ＯＴＰ方式と同様である。すなわち、記録層Ｍ0には、ディスクの内周側から外周側に向かって、リードイン領域、データ領域（第１のデータ領域）、中間領域が設けられている。また、記録層Ｍ1には、ディスクの外周側から内周側に向かって、中間領域、データ領域（第２のデータ領域）、リードアウト領域が設けられている。そして、記録層Ｍ0では内周側から外周側に向かって連続して増加する物理アドレスが割り振られており、記録層Ｍ1では外周側から内周側に向かって連続して増加する物理アドレスが割り振られている。従って、以下において、「手前」とは、記録層Ｍ0ではディスクの内周側を意味し、記録層Ｍ1ではディスクの外周側を意味する。また、「以降」とは、記録層Ｍ0ではディスクの外周側を意味し、記録層Ｍ1ではディスクの内周側を意味する。
【００９２】
また、トラックパスは、記録層Ｍ0のリードイン領域からデータ領域を走査して中間領域に向かい、記録層Ｍ0の中間領域に達したら記録層Ｍ1に移り、記録層Ｍ1の中間領域から記録層Ｍ1のデータ領域を走査してリードアウト領域に向かっている。そして、記録層Ｍ0のデータ領域の開始位置から記録層Ｍ1のデータ領域の終了位置までは、論理アドレスが連続しており、記録層Ｍ0と記録層Ｍ1とが連続した１つの記録層として扱われる。そこで、本実施形態では、記録層Ｍ0のデータ領域と記録層Ｍ1のデータ領域とを連続した１つのデータ領域（統合データ領域、以下、便宜上「擬似データ領域」ともいう）とみなしている。
【００９３】
また、本実施形態では、一例として図１１に示されるように、各記録層のデータ領域がそれぞれゾーン［Ｎ：０］（Ｎはレイヤー番号、Ｎ＝０，１）からゾーン［Ｎ：３］までの４つのゾーン（部分領域）に擬似的に分割されているものとする。ここでは、記録層Ｍ0をレイヤー番号０、記録層Ｍ1をレイヤー番号１とする。従って、記録層Ｍ0のデータ領域は、ゾーン［０：０］、ゾーン［０：１］、ゾーン［０：２］、ゾーン［０：３］に分割され、記録層Ｍ1のデータ領域は、ゾーン［１：０］、ゾーン［１：１］、ゾーン［１：２］、ゾーン［１：３］に分割されている。なお、光ディスク１５の回転中心からの距離、すなわち半径位置に関して、ゾーン［０：０］の終了位置とゾーン［１：０］の開始位置とは同じ位置であり、ゾーン［０：１］の終了位置とゾーン［１：１］の開始位置とは同じ位置であり、ゾーン［０：２］の終了位置とゾーン［１：２］の開始位置とは同じ位置であり、ゾーン［０：３］の終了位置とゾーン［１：３］の開始位置とは同じ位置である。
【００９４】
さらに、本実施形態では、光ディスク１５に対するフォーマット処理として、前述したＢＧＦ処理が行われるものとする。そして、ディスクの内周側に位置するゾーンから記録層Ｍ0と記録層Ｍ1とを交互に、つまり、ゾーン［０：０］→ゾーン［１：０］→ゾーン［０：１］→ゾーン［１：１］→ゾーン［０：２］→・・・→ゾーン［１：３］という順番でディアイス処理が行われるものとする。
【００９５】
また、リードイン領域内には、ＢＧＦ処理及びＢＧＦ処理中に記録された領域などを管理するための管理情報が記録される管理情報領域（情報領域）が存在する。この光ディスク１５における管理情報は、一例として図１２に示されるように、「識別ＩＤ」、「未知の識別ＩＤに対する制約情報」、「ドライブＩＤ」、「更新回数」、「フォーマットステータス」、先頭既記録領域情報としての「ラストリトゥンアドレス（ＬＷＡ）」、「ラストベリファイドアドレス（ＬＶＡ）」、「ビットマップ開始アドレス」、「ビットマップ長」、「ディスクＩＤ」、最終既記録領域情報としての「ラストアンリトゥンアドレス（ＬＵＡ）」、基準既記録領域情報としての「ゾーンラストリトゥンアドレス（ゾーンＬＷＡ）」、及び識別情報としての「ビットマップ」などから構成されるデータ構造を有している。このように、管理情報は、ＬＷＡが格納されるデータ部、ＬＵＡが格納されるデータ部及びゾーンＬＷＡが格納されるデータ部を含むデータ構造を有している。なお、「ラストリトゥンアドレス（ＬＷＡ）」、「ラストアンリトゥンアドレス（ＬＵＡ）」、「ゾーンラストリトゥンアドレス（ゾーンＬＷＡ）」及び「ビットマップ」の位置は、これに限定されるものではない。
【００９６】
本実施形態では、「識別ＩＤ」、「未知の識別ＩＤに対する制約情報」、「ドライブＩＤ」、「更新回数」、「フォーマットステータス」、及び「ディスクＩＤ」は、前述したＤＶＤ＋ＲＷにおける管理情報と同様な情報が格納される。
【００９７】
本実施形態における「ラストリトゥンアドレス（ＬＷＡ）」には、擬似データ領域の開始位置から連続してデータが記録されている領域を特定するための情報（先頭既記録領域情報）として、擬似データ領域の開始位置から連続してデータが記録されている領域の終了アドレスが格納される。従って、記録層Ｍ0のデータ領域の全領域にデータが記録され、引き続き記録層Ｍ1のデータ領域にデータが記録されると、ＬＷＡは記録層Ｍ1のデータ領域内のアドレスに更新される。
【００９８】
本実施形態における「ラストベリファイドアドレス（ＬＶＡ）」には、擬似データ領域の開始位置から連続してベリファイが行われている領域の終了アドレスが格納される。従って、記録層Ｍ0のデータ領域の全領域がベリファイされ、引き続き記録層Ｍ1のデータ領域がベリファイされると、ＬＶＡは記録層Ｍ1のデータ領域内のアドレスに更新される。なお、ベリファイを行わない場合には、本領域には「００００００００ｈ」が格納される。
【００９９】
本実施形態における「ビットマップ開始アドレス」には、後述する本実施形態におけるビットマップ情報の最初のビットに対応した擬似データ領域内のアドレスが格納される。
【０１００】
本実施形態における「ビットマップ長」には、擬似データ領域のうちビットマップ情報により記録／未記録の情報が管理されている領域のサイズが格納される。
【０１０１】
前記「ラストアンリトゥンアドレス（ＬＵＡ）」には、記録層Ｍ1のデータ領域の終了位置にその終了位置が一致している、データが記録されている記録層Ｍ1のデータ領域内の領域を特定するための情報（最終既記録領域情報）として、記録層Ｍ1のデータ領域内の未記録領域のうち最もディスクの内周側に位置する領域の終了アドレスが格納される。
【０１０２】
前記「ゾーンラストリトゥンアドレス（ゾーンＬＷＡ）」には、記録層Ｍ1のデータ領域内に設定されている基準位置から連続してデータが記録されている領域を特定するための情報（基準既記録領域情報）として、記録層Ｍ1のデータ領域内における監視対象となるゾーン（以下「監視対象ゾーン」という）の開始位置（基準位置）から連続してデータが記録されている領域の終了アドレスが格納される。なお、監視対象ゾーンの開始位置から連続してデータが記録されていなければ、ゾーンＬＷＡには監視対象ゾーンの開始位置がセットされる。
【０１０３】
本実施形態における「ビットマップ」には、記録層Ｍ0のデータ領域におけるデータが記録されている既記録領域を識別し、かつ記録層Ｍ1のデータ領域におけるユーザデータが記録された領域を識別するためのビットマップ情報（図１４参照）が格納される。ここでは、擬似データ領域を１ＥＣＣブロック（１６セクタ）の領域（ブロック領域）毎に仮想的に分割し、ビットマップ情報の１ビットを１ブロック領域に対応させている。なお、図１４（Ａ）〜図１５（Ｃ）、図１８（Ａ）〜図１９（Ｂ）では、便宜上１ビットが複数のブロック領域に対応しているように図示されている。また、図２５（Ａ）〜図２５（Ｃ）、図２７（Ａ）〜図２８（Ｃ）も同様である。
【０１０４】
《ＢＧＦ処理》
次に、前述のようにして構成された光ディスク装置２０が、上位装置９０からフォーマット要求コマンドを受信したときの処理について図１３、図１６及び図１７を用いて説明する。図１３、図１６及び図１７のフローチャートは、それぞれＣＰＵ４０によって実行される一連の処理アルゴリズムに対応している。ここでは、光ディスク１５は、ブランクディスクであっても良いし、ＬＷＡ、ＬＵＡ、及びゾーンＬＷＡのうちの少なくともいずれかがすでに記録されていても良い。例えば光ディスク１５にＬＷＡ、ＬＵＡ、及びゾーンＬＷＡのうちの少なくともいずれかがすでに記録されている場合には、そのＬＷＡ、ＬＵＡ、及びゾーンＬＷＡのうちの少なくともいずれかは、光ディスク１５が光ディスク装置２０にセットされたときに読み出され、ＲＡＭ４１に格納されることとなる。
【０１０５】
なお、本実施形態では、上位装置９０との通信は送信及び受信ともに割り込み処理にて行われ、上位装置９０から記録要求コマンドを受信すると、割り込み処理にて記録要求フラグに「１」がセットされ、上位装置９０からディスク排出要求コマンドを受信すると、割り込み処理にて排出要求フラグに「１」がセットされるようになっている。また、ここでは、ＢＧＦ処理中に上位装置９０から再生要求はないものとする。
【０１０６】
上位装置９０からフォーマット要求コマンドを受信すると、図１３のフローチャートに対応するプログラム（以下「ＢＧＦ処理プログラム」という）の開始アドレスがＣＰＵ４０のプログラムカウンタにセットされ、ＢＧＦ処理がスタートする。前記記録要求フラグ及び排出要求フラグは、ＢＧＦ処理のスタート時にそれぞれ「０」リセットされる。なお、光ディスク１５への書き込みは、エンコーダ２５、レーザ制御回路２４及び光ピックアップ装置２３などを介して行われる。
【０１０７】
最初のステップ４０１では、光ディスク１５がブランクディスクであるか否かを判断する。光ディスク１５がブランクディスクであれば、ここでの判断は肯定され、ステップ４０３に移行する。
【０１０８】
このステップ４０３では、管理情報を初期化する。すなわち、ＲＡＭ４１に光ディスク１５の管理情報と同一のデータ構造を有する領域を確保し、所定の初期値をセットする。ここでは、図１４（Ａ）に示されるように、ＬＷＡにはリードイン領域の終了アドレスが初期値としてセットされ、ＬＵＡには記録層Ｍ1のデータ領域の終了アドレスが初期値としてセットされる。また、記録層Ｍ1における最初の監視対象ゾーンは［１：０］であり、ゾーンＬＷＡにはゾーン［１：０］の開始アドレスが初期値としてセットされている。さらに、ビットマップ情報の全てのビットに“１”が初期値としてセットされる。
【０１０９】
次のステップ４０５では、光ディスク１５の管理情報領域を含むリードイン領域の一部に所定の情報を記録する。
【０１１０】
次のステップ４０７では、上位装置９０にフォーマット完了を報告する。この時点では、図１４（Ａ）に示されるように、リードインの一部が記録されている。
【０１１１】
次のステップ４０９では、記録要求フラグを参照し、上位装置９０から記録要求があるか否かを判断する。記録要求フラグが「０」であれば、ここでの判断は否定され、ステップ４１１に移行する。
【０１１２】
このステップ４１１では、排出要求フラグを参照し、上位装置９０からディスク排出要求があるか否かを判断する。排出要求フラグが「０」であれば、ここでの判断は否定され、ステップ４１３に移行する。
【０１１３】
このステップ４１３では、ディアイス処理中であるか否かを判断する。ディアイス処理中でなければ、ここでの判断は否定され、ステップ４１５に移行する。
【０１１４】
このステップ４１５では、ディアイス処理されたゾーンがゾーンＢであるか否かを判断する。ディアイス処理されたゾーンがゾーンＢでなければ、ここでの判断は否定され、ステップ４１７に移行する。
【０１１５】
このステップ４１７では、ＬＷＡを更新する。なお、例えばイニシャル処理の直後のように、ディアイス処理が行われていないときには、ここでの処理はスキップされる。
【０１１６】
次のステップ４１９では、ビットマップ情報を更新する。なお、例えばイニシャル処理の直後のように、ディアイス処理が行われていないときには、ここでの処理はスキップされる。
【０１１７】
次のステップ４２５では、擬似データ領域内に未記録領域を含むゾーンが存在するか否かを判断する。擬似データ領域内に未記録領域を含むゾーンが存在すれば、ここでの判断は肯定され、ステップ４２７に移行する。
【０１１８】
このステップ４２７では、ＲＡＭ４１に格納されているＬＷＡを取得する。
【０１１９】
次のステップ４２９では、ＬＷＡが示すアドレスに続く未記録領域が属するゾーン（ゾーンＡとする）を特定する。イニシャル処理の直後では、ゾーン［０：０］がゾーンＡとして特定される。
【０１２０】
次のステップ４３１では、ＲＡＭ４１に格納されているゾーンＬＷＡを取得する。
【０１２１】
次のステップ４３３では、ゾーンＬＷＡが示すアドレスに続く未記録領域が属するゾーン（ゾーンＢとする）を特定する。イニシャル処理の直後では、ゾーン［１：０］がゾーンＢとして特定される。なお、ゾーンＡに関しては記録層Ｍ0内のゾーン、あるいは記録層Ｍ1内のゾーンのいずれの場合もあり得るが、ゾーンＬＷＡは前述したように記録層Ｍ1内のゾーンに対して設定されるため、ゾーンＢは記録層Ｍ1内のゾーンである。
【０１２２】
次のステップ４３５では、ゾーンＢがゾーンＡよりも内周側に位置するか否かを判断する。イニシャル処理の直後では、ゾーンＢはゾーンＡと同じ半径位置であるため、ここでの判断は否定され、ステップ４３７に移行する。
【０１２３】
このステップ４３７では、ディアイス処理を行う領域をゾーンＡに設定する。
【０１２４】
次のステップ４３９では、ＬＷＡが示すアドレスに続くアドレスからディアイス処理を開始する。このディアイス処理では、ビットマップ情報を参照し、ＬＷＡ以降の未記録領域のみ、つまりユーザデータが記録されている領域を避けてダミーデータを記録していく。そして、上記ステップ４０９に戻る。
【０１２５】
なお、上記ステップ４０１において、光ディスク１５がブランクディスクでなければ、ステップ４０１での判断は否定され、前記ステップ４０９に移行する。すなわち、イニシャル処理をスキップする。この場合には、光ディスク１５の管理情報はすでにＲＡＭ４１に格納されている。
【０１２６】
また、前記ステップ４１３において、ディアイス処理中であれば、ステップ４１３での判断は肯定され、前記ステップ４０９に戻る。すなわち、ディアイス処理を継続する。
【０１２７】
また、前記ステップ４１５において、ディアイス処理されたゾーンがゾーンＢであれば、ステップ４１５での判断は肯定され、ステップ４２１に移行する。このステップ４２１では、ゾーンＬＷＡを更新する。次のステップ４２３では、ＬＵＡを更新する。そして、前記ステップ４２５に移行する。
【０１２８】
さらに、前記ステップ４３５において、ゾーンＢがゾーンＡよりも内周側に位置すれば、ステップ４３５での判断は肯定され、ステップ４４１に移行する。このステップ４４１では、ディアイスを行う領域をゾーンＢに設定する。次のステップ４４３では、ゾーンＬＷＡが示すアドレスに続くアドレスからディアイス処理を開始する。そして、前記ステップ４０９に戻る。
【０１２９】
また、前記ステップ４２５において、擬似データ領域内に未記録領域を含むゾーンが存在しなければ、擬似データ領域内のディアイス処理が完了したこととなり、ステップ４２５での判断は肯定され、ステップ４４５に移行する。このステップ４４５では、記録層Ｍ0の中間領域及び記録層Ｍ1の中間領域に、それぞれ所定の情報を記録する。
【０１３０】
そして、次のステップ４４７では、リードアウトを記録する。なお、例えば後述する再生専用ディスクとの互換モードでディスクが排出されたときのように、ディアイス処理が完了する前に既にリードアウトが記録されている場合も有り得る。このような場合には、ここでの処理はスキップされる。そこで、管理情報内（例えば「フォーマットステータス」）にリードアウトが記録されているかどうかを示す情報を格納しておき、ステップ４４７では、管理情報を参照して、リードアウトが未記録であった場合にリードアウトを記録するようにしても良い。
【０１３１】
次のステップ４４９ではリードインの残りを記録する。そして、ＢＧＦ処理を終了する。
【０１３２】
《ＢＧＦ処理中の記録処理》
ところで、前記ステップ４０９において、記録要求フラグが「１」であれば、ステップ４０９での判断は肯定され、記録要求フラグを「０」リセットした後、図１６のステップ５０１に移行する。具体的には、図１６のフローチャートに対応するプログラム（以下「記録処理プログラム」という）の開始アドレスがＣＰＵ４０のプログラムカウンタにセットされ、記録処理がスタートする。なお、ここでは、一例としてゾーン［１：０］の途中までディアイス処理が行われているものとする。
【０１３３】
このステップ５０１では、ディアイス処理中であるか否かを判断する。ディアイス処理中であれば、ここでの判断は肯定され、ステップ５０３に移行する。
【０１３４】
このステップ５０３では、ディアイス処理を中断する。
【０１３５】
次のステップ５０５では、ディアイス処理中のゾーンがゾーンＢであるか否かを判断する。ここでは、ゾーン［１：０］のディアイス処理中にユーザから記録要求を受けたので、ここでの判断は肯定され、ステップ５１１に移行する。
【０１３６】
このステップ５１１では、ゾーンＬＷＡを更新する。ここでは、図１４（Ｂ）に示されるように、ゾーン［１：０］におけるダミーデータが記録された領域の終了アドレスが新たなゾーンＬＷＡとなる。
【０１３７】
次のステップ５１３では、ＬＵＡを更新する。なお、ここでは、図１４（Ｂ）に示されるように、ゾーン［１：０］内に未記録領域が存在しているため、ＬＵＡに変化はない。
【０１３８】
次のステップ５１５では、ユーザデータを記録する。ここでは、ゾーン［０：０］の途中からゾーン［０：１］の途中までユーザデータが連続して記録されるものとする。そして、ユーザデータの記録が完了するとステップ５１７に移行する。
【０１３９】
このステップ５１７では、ＬＷＡを更新する。ここでは、一例として図１４（Ｃ）に示されるように、ゾーン［０：１］におけるユーザデータが記録された領域の終了アドレスが新たなＬＷＡとなる。
【０１４０】
次のステップ５１９では、ビットマップ情報を更新する。ここでは、図１４（Ｃ）に示されるように、ゾーン［０：１］におけるユーザデータが記録された領域に対応するビット値が「０」に変更される。そして、記録処理を終了し、前記ステップ４０９に戻る。
【０１４１】
なお、上記ステップ５０５において、ディアイス処理中のゾーンがゾーンＢでなければ、ステップ５０５での判断は否定され、ステップ５０７に移行する。
【０１４２】
このステップ５０７では、ＬＷＡを更新する。
【０１４３】
次のステップ５０９では、ビットマップ情報を更新する。そして、上記ステップ５１５に移行する。
【０１４４】
《ディアイス処理の再開》
記録処理が終了すると、ディアイス処理が再開される。ここでは、ゾーンＢ（ゾーン［１：０］）がゾーンＡ（ゾーン［０：１］）よりも内周側に位置することとなるため、ステップ４３５での判断は肯定される。そして、ステップ４４１にて、ディアイス処理を行う領域がゾーンＢ（ここでは、ゾーン［１：０］）に設定され、次のステップ４４３にて、ゾーンＬＷＡが示すアドレスに続くアドレスからディアイス処理が再開される。
【０１４５】
ゾーン［１：０］のディアイス処理が完了すると、ステップ４１５での判断は肯定される。そして、記録層Ｍ1における監視対象ゾーンは［１：１］となり、ステップ４２１にて、ゾーン［１：１］の開始アドレスが新たなゾーンＬＷＡとなる（図１５（Ａ）参照）。また、ゾーン［１：０］には未記録領域が存在しなくなったので、ステップ４２３にて、ゾーン［１：１］の終了アドレスが新たなＬＵＡとなる。すなわち、ＬＵＡは、記録層Ｍ1のデータ領域にダミーデータが記録されると、該ダミーデータが記録された領域に応じて更新される。そして、ゾーン［０：１］の未記録領域が次のディアイス処理の対象領域となる。なお、ゾーン［１：０］のディアイス処理が完了しても、図１５（Ａ）に示されるように、ゾーン［１：０］に対応するビットマップ情報のビット値は変更されない。このように、記録層Ｍ1に対するディアイス処理では、ダミーデータが記録された領域に対応するビットマップ情報のビット値は変更されない。記録層Ｍ1については、ユーザデータが記録された領域に対応するビットマップ情報のビット値のみが変更される。
【０１４６】
そして、図１５（Ｂ）に示されるように、ゾーン［０：１］の未記録領域のディアイス処理が完了すると、次に、図１５（Ｃ）に示されるように、ゾーン［１：１］がディアイス処理の対象領域となる。記録層Ｍ0に対するディアイス処理では、ダミーデータの記録とともにＬＷＡが更新され、かつダミーデータが記録された領域に対応するビットマップ情報のビット値が変更される。
【０１４７】
《ＢＧＦ処理中の排出処理》
ところで、前記ステップ４１１において、排出要求フラグが「１」であれば、ステップ４１１での判断は肯定され、図１７のステップ６０１に移行する。具体的には、図１７のフローチャートに対応するプログラム（以下「排出処理プログラム」という）の開始アドレスがＣＰＵ４０のプログラムカウンタにセットされ、排出処理がスタートする。なお、ここでは、一例として、ゾーン［１：１］の途中までディアイス処理が行われているものとする。
【０１４８】
このステップ６０１では、ディアイス処理中であるか否かを判断する。ディアイス処理中であれば、ここでの判断は肯定され、ステップ６０３に移行する。
【０１４９】
このステップ６０３では、ディアイス処理を中断する。
【０１５０】
次のステップ６０５では、ディアイス処理中のゾーンがゾーンＢであるか否かを判断する。ここでは、ゾーン［１：１］のディアイス処理中にユーザからディスク排出要求を受けたので、ここでの判断は肯定され、ステップ６１１に移行する。
【０１５１】
このステップ６１１では、ゾーンＬＷＡを更新する。ここでは、記録層Ｍ1における監視対象ゾーンは［１：１］であり、ゾーンＬＷＡは、一例として図１８（Ａ）に示されるように、ゾーン［１：１］におけるダミーデータが記録された領域の終了アドレスに変更される。
【０１５２】
次のステップ６１３では、ＬＵＡを更新する。ここでは、図１８（Ａ）に示されるように、ゾーン［１：１］内には未記録領域が存在しているため、ＬＵＡに変化はない。
【０１５３】
次のステップ６１５では、ディスク排出要求コマンドを参照し、ユーザが再生専用ディスクとの互換モードでディスク排出を要求しているか否かを判断する。再生専用ディスクとの互換モードでディスク排出が要求されていれば、ここでの判断は肯定され、ステップ６１７に移行する。ここで、再生専用ディスクとの互換モードとは、排出されたディスクが、再生専用ディスク（ここでは片面２層ＤＶＤ−ＲＯＭ）と論理的な互換性を有していることを意味する。
【０１５４】
このステップ６１７では、ビットマップ情報を参照し、ユーザデータが記録されている領域のうち、その終了アドレスが最も大きい領域を取得する。すなわち、ビットマップ情報におけるビット値が“０”となる領域のうち、その終了アドレスが最も大きい領域を取得する。なお、例えば記録層Ｍ1内のディアイス処理済み領域（ダミーデータが記録された領域）にユーザデータが記録されていた場合も、ビットマップ情報を参照して、ダミーデータが記録された領域とユーザデータが記録された領域とを明確に判別することが可能である。
【０１５５】
次のステップ６１９では、ステップ６１７での取得結果に基づいて、ＬＷＡ以降の領域にユーザデータが記録されているか否かを判断する。ここでは、ＬＷＡ以降の領域にはユーザデータは記録されていないので、ここでの判断は否定され、ステップ６２７に移行する。
【０１５６】
このステップ６２７では、ゾーンＬＷＡとＬＵＡとを参照し、記録層Ｍ0のデータ領域内のデータ（ユーザデータ又はダミーデータ）が記録されている領域（以下「データ既記録領域」ともいう）の終了位置と同一半径位置にある記録層Ｍ1のデータ領域内の位置（以下「対応位置」ともいう）を取得する。ここでは、ゾーン［１：１］の開始位置が対応位置となる。
【０１５７】
次のステップ６２９では、対応位置以降に未記録領域があるか否かを判断する。ここでは、図１８（Ａ）に示されるように、ゾーン［１：１］内に未記録領域があるので、ここでの判断は肯定され、ステップ６３１に移行する。
【０１５８】
このステップ６３１では、対応位置以降の未記録領域にダミーデータを記録する。ここでは、図１８（Ｂ）に示されるように、ゾーン［１：１］内の未記録領域にダミーデータが記録される。これにより、記録層Ｍ1における監視対象ゾーンは［１：２］となる。
【０１５９】
次のステップ６３３では、ゾーンＬＷＡを更新する。ここでは、記録層Ｍ1における監視対象ゾーンは［１：２］であり、図１８（Ｃ）に示されるように、ゾーン［１：２］の開始アドレスが新たなゾーンＬＷＡとなる。
【０１６０】
次のステップ６３５では、ＬＵＡを更新する。ここでは、図１８（Ｃ）に示されるように、ゾーン［１：２］の終了アドレスが新たなＬＵＡとなる。
【０１６１】
次のステップ６３７では、一例として図１９（Ａ）に示されるように、記録層Ｍ0のＬＷＡ以降の領域と、記録層Ｍ1のＬＵＡ手前の領域とに一時的な中間領域を記録する。この一時的な中間領域には、中間領域であることを示す属性のデータが記録される。なお、図１９（Ａ）に示されるように、一時的な中間領域に対応したビットマップ情報は“１”のままである。これは、ＢＧＦ処理が再開されると、一時的な中間領域にダミーデータあるいはユーザデータを上書きすることができるようにするためである。
【０１６２】
次のステップ６３９では、一例として図１９（Ｂ）に示されるように、リードアウトを記録する。これにより、リードイン領域、記録層Ｍ0のデータ記録されたデータ領域、（一時的な）中間領域、記録層Ｍ1のデータ記録されたデータ領域、及びリードアウト領域からなるインフォメーション領域が形成され、ＯＴＰ方式の片面２層ＤＶＤ−ＲＯＭとの論理的な互換性が確保される。なお、すでにリードアウトが記録されていれば、ここでの処理はスキップする。
【０１６３】
次のステップ６４１では、管理情報を光ディスク１５の管理情報領域に記録する。すなわち、ＬＷＡ、ＬＵＡ、ゾーンＬＷＡ及びビットマップ情報などが光ディスク１５に記録される。なお、管理情報は、光ディスク１５が再度光ディスク装置２０にセットされたときに読み出されてＲＡＭ４１に格納され、ＢＧＦ処理の再開等に用いられる。
【０１６４】
次のステップ６４３では、不図示の排出機構を介して光ディスク１５を排出する。そして、処理を終了する。
【０１６５】
なお、上記ステップ６０１において、ディアイス処理中でなければ、ステップ６０１での判断は否定され、前記ステップ６１５に移行する。
【０１６６】
また、上記ステップ６０５において、ディアイス処理中のゾーンがゾーンＢでなければ、ステップ６０５での判断は否定され、ステップ６０７に移行する。
【０１６７】
このステップ６０７では、ＬＷＡを更新する。
【０１６８】
次のステップ６０９では、ビットマップ情報を更新する。そして、前記ステップ６１５に移行する。
【０１６９】
また、上記ステップ６１５において、再生専用ディスクとの互換モードでディスク排出が要求されていなければ、ステップ６１５での判断は否定され、前記ステップ６４１に移行する。
【０１７０】
さらに、上記ステップ６１９において、記録層Ｍ0におけるＬＷＡ以降の領域にユーザデータが記録されていれば、ステップ６１９での判断は肯定され、ステップ６２１に移行する。
【０１７１】
このステップ６２１では、ユーザデータが記録されている領域のうち、その終了アドレスが最も大きい領域とＬＷＡとの間に存在する未記録領域にダミーデータを記録する。
【０１７２】
次のステップ６２３では、ＬＷＡを更新する。
【０１７３】
次のステップ６２５では、ビットマップ情報を更新する。そして、前記ステップ６２７に移行する。
【０１７４】
また、上記ステップ６２９において、対応位置以降に未記録領域がなければ、ステップ６２９での判断は否定され、前記ステップ６３７に移行する。
【０１７５】
《論理アドレス》
ここで、各記録層のデータ領域の論理アドレスについて説明する。論理アドレスは記録データに関連づけられたアドレスであり、ユーザは論理アドレスを指定して記録要求を行うとともに、データ領域内に記録されたユーザデータ（例えばファイルなど）の記録位置に関する情報（ファイル情報）は論理アドレスとともにデータ領域内の所定のファイル管理領域に格納されている。
【０１７６】
図２０（Ａ）には、ディアイス処理が完了した状態における、光ディスク１５のインフォメーション領域のレイアウトと、論理アドレス（ＬＢＡ）との関係が示されている。論理アドレスは擬似データ領域の開始の物理アドレス（ＰＢＡ）、すなわち記録層Ｍ0のデータ領域の開始位置の物理アドレス「３００００ｈ」であるセクタを、論理アドレス「００００００ｈ」とみなす。そして、論理アドレスは、記録層Ｍ0のデータ領域の開始位置から外周側に向かって連続して割り振られる。図２０（Ａ）に示されるように、記録層Ｍ0の中間領域の開始位置での物理アドレスをＭとすると、記録層Ｍ0のデータ領域の終了位置での論理アドレスは（Ｍ−１）−３００００ｈとなる。また、記録層Ｍ0のデータ領域の終了位置から記録層Ｍ1のデータ領域の開始位置へは論理アドレスが連続している。従って、記録層Ｍ1のデータ領域の開始位置における論理アドレスはＭ−３００００ｈとなる。そして、論理アドレスは、記録層Ｍ1のデータ領域の開始位置から内周側に向かって連続的に増加していく。なお、ディスク全面が未記録状態の場合や、ＢＧＦ処理中であって中間領域が記録される前の場合にも、同様な論理アドレスが初期状態として設定されている。ここでは、物理アドレスＸ'は物理アドレスＸをビット反転した値であることを意味している。
【０１７７】
次に、ＢＧＦ処理を中断して排出された状態における、光ディスク１５のインフォメーション領域のレイアウトと論理アドレスとの関係を、図２０（Ｂ）を用いて説明する。ここでは、記録層Ｍ1の対応位置以降の未記録領域にダミーデータを記録し、一時的な中間領域、及びリードアウトを記録して片面２層ＤＶＤ−ＲＯＭとの論理的な互換性を確保した状態が示されている。図２０（Ａ）の場合と同様に、記録層Ｍ0のデータ領域の開始位置を論理アドレス「００００００ｈ」とみなしている。そして、論理アドレスは記録層Ｍ0のデータ領域内を外周側に向かって連続的に増加していく。一時的な中間領域の開始位置の物理アドレスをＮ（＜Ｍ）とすると、記録層Ｍ0のデータ領域の終了位置での論理アドレスは（Ｎ−１）−３００００ｈであり、記録層Ｍ1のデータ領域の開始位置における論理アドレスはＮ−３００００ｈである。そして、論理アドレスは記録層Ｍ1のデータ領域の開始位置から内周側に向かって連続して増加していく。
【０１７８】
ところで、記録層Ｍ1では、同一半径位置であっても、図２０（Ａ）と図２０（Ｂ）とでは、論理アドレスが互いに異なっていることが分かる。例えば、記録層Ｍ0における物理アドレスがＸとなる半径位置の論理アドレスは、図２０（Ａ）及び図２０（Ｂ）では、いずれもＸ−３００００ｈであるが、その半径位置の記録層Ｍ1における論理アドレスは、図２０（Ａ）では（２Ｍ−Ｘ）−３００００ｈであり、図２０（Ｂ）では（２Ｎ−Ｘ）−３００００ｈである。すなわち、記録層Ｍ1の論理アドレスは記録層Ｍ0のデータ領域におけるデータが記録されている領域の大きさ、言い換えると中間領域の位置によって変わってくる。
【０１７９】
以上の説明から明らかなように、本実施形態に係る光ディスク装置２０では、光ピックアップ装置２３とレーザ制御回路２４とエンコーダ２５とによって、記録手段が構成されている。また、ＣＰＵ４０及び該ＣＰＵ４０にて実行されるプログラムとによって、処理装置及びフォーマット手段が実現されている。すなわち、図１７のステップ６１７〜６４１によって処理装置が実現され、図１３のステップ４０１〜４４５によってフォーマット手段が実現されている。
【０１８０】
なお、ＣＰＵ４０によるプログラムに従う処理によって実現した処理装置及びフォーマット手段の少なくとも一部をハードウェアによって構成することとしても良いし、あるいは全てをハードウェアによって構成することとしても良い。
【０１８１】
また、本実施形態では、記録媒体としてのフラッシュメモリ３９に記録されているプログラムのうち、前記排出処理プログラムによって、本発明に係るプログラムが構成されている。すなわち、図１７のステップ６４１の処理に対応するプログラムによって、最終既記録領域情報を情報記録媒体に記録する手順が構成されている。
【０１８２】
そして、図１７のステップ６４１の処理によって本発明に係る記録方法における、最終既記録領域情報を情報記録媒体に記録する工程、先頭既記録領域情報を情報記録媒体に記録する工程、及び基準既記録領域情報を情報記録媒体に記録する工程が実施されている。また、図１７のステップ６１７〜６４１の処理によって本発明に係る記録方法における、再生専用の情報記録媒体との互換性を付与するためのデータを記録する工程が実施されている。
【０１８３】
以上説明したように、本実施形態に係る光ディスク装置（情報記録装置）によると、内周側から外周側に向かって連続して増加するアドレスが割り振られているデータ領域（第１のデータ領域）を含む記録層Ｍ0（第１の記録層）と、外周側から内周側に向かって連続して増加するアドレスが割り振られているデータ領域（第２のデータ領域）を含む記録層Ｍ1（第２の記録層）と、を有する光ディスク１５（情報記録媒体）に対するＢＧＦ処理中に、ユーザから、ＤＶＤ−ＲＯＭ（再生専用の情報記録媒体）との互換モードでの排出要求があると、排出に先だって、ＬＷＡ（先頭既記録領域情報）、ＬＵＡ（最終既記録領域情報）、及びゾーンＬＷＡ（基準既記録領域情報）を参照して、未記録領域にダミーデータを記録している。これにより、すでに記録されているダミーデータにダミーデータを上書きすることを防止できる。従って、複数の記録層を有する書き換え可能な情報記録媒体に対して、再生専用の情報記録媒体との互換性を短時間で付与することができる。
【０１８４】
また、本実施形態では、記録層Ｍ1にユーザデータが記録されたときには、その領域に対応したビットマップ情報のビット値を“０”に変更しているが、ディアイス処理にて記録層Ｍ1にダミーデータが記録されたときには、その領域に対応したビットマップ情報のビット値を“１”、すなわち未記録を示す状態のままとしている。これにより、ビットマップ情報を参照することにより、記録層Ｍ1にユーザデータが記録されているか否かを容易に判断することが可能となる。なお、記録層Ｍ1に対するディアイス処理でも、記録層Ｍ0に対するディアイス処理と同様に、ダミーデータが記録された領域に対応したビットマップ情報のビット値を変更すれば、ＬＵＡに相当する情報がなくとも記録層Ｍ1におけるデータ記録領域を知ることができるが、この場合には、記録層Ｍ1にユーザデータが記録されているか否かをビットマップ情報から判断することができないという不都合がある。
【０１８５】
また、本実施形態では、ＢＧＦ処理中の排出処理において、ＬＷＡ、ＬＵＡ、ゾーンＬＷＡ及びビットマップ情報を光ディスク１５の管理情報領域に記録している。すなわち、光ディスク１５の管理情報領域には、ＬＷＡ、ＬＵＡ、ゾーンＬＷＡ及びビットマップ情報を含むデータ構造の管理情報が記録される。これにより、一旦排出された光ディスク１５が、再度光ディスク装置２０にセットされたときに、ＢＧＦ処理を正しく再開することが可能となる。さらに、一旦排出された光ディスク１５が再度光ディスク装置２０にセットされ、ユーザデータが新たに記録された後であっても、再生専用の情報記録媒体との互換性を短時間で付与することが可能となる。このように、光ディスク１５は、ＬＵＡ（終了位置が記録層Ｍ1のデータ領域の終了位置と一致している、データが記録されている領域を特定するための情報）を記録するための管理情報領域（情報領域）を有し、この管理情報領域に記録される情報は、ＬＵＡを含むデータ構造を有しているために、管理情報領域を参照して、記録層Ｍ1のデータ領域内に存在するデータが記録されていない未記録領域を容易に検出することが可能となる。そこで、ユーザデータ（コンテンツ）が記録された領域とダミーデータが記録された領域と未記録領域とが混在していても、光ディスク１５に対してＤＶＤ−ＲＯＭ（再生専用の情報記録媒体）との互換性を短時間で付与することが可能となる。
【０１８６】
また、本実施形態では、各記録層のデータ領域をそれぞれ複数のゾーン（部分領域）に擬似的に分割し、ＢＧＦ処理において、ディスクの内周側に位置するゾーンから記録層Ｍ0と記録層Ｍ1とを交互にディアイス処理を行っている。これにより、ＢＧＦ処理中に排出要求があった場合に、ＤＶＤ−ＲＯＭとの論理的な互換性を付与するためのダミーデータの記録を少なくすることができる。すなわち、再生専用の情報記録媒体との互換性を短時間で付与することが可能となる。
【０１８７】
なお、上記実施形態では、ＬＷＡが１つの場合について説明したが、これに限らず、記録層毎にＬＷＡが設定されても良い。この場合には、記録層Ｍ0のＬＷＡには、第１のデータ領域において、第１のデータ領域の開始位置から連続してデータが記録されている領域の終了位置が格納され、記録層Ｍ1のＬＷＡには、第２のデータ領域において、第２のデータ領域の開始位置から連続してデータが記録されている領域の終了位置が格納される。そこで、擬似データ領域の開始位置から連続してデータが記録されている領域の終了位置が第１のデータ領域に含まれる場合には、記録層Ｍ0のＬＷＡが参照され、擬似データ領域の開始位置から連続してデータが記録されている領域の終了位置が第２のデータ領域に含まれる場合には、記録層Ｍ1のＬＷＡが参照されることとなる。すなわち、各記録層のＬＷＡによって、先頭既記録領域情報が構成される。
【０１８８】
また、上記実施形態において、記録層毎に管理情報を設けても良い。この場合には、一例として図２１に示されるように、記録層Ｎの管理情報は、「識別ＩＤ」、「未知の識別ＩＤに対する制約情報」、「ドライブＩＤ」、「更新回数」、「フォーマットステータス」、「レイヤーＮのラストリトゥンアドレス（ＬＷＡ）」、「レイヤーＮのラストベリファイドアドレス（ＬＶＡ）」、「レイヤーＮのビットマップ開始アドレス」、「レイヤーＮのビットマップ長」、「ディスクＩＤ」、「レイヤー番号」、「レイヤーＮのラストアンリトゥンアドレス（ＬＵＡ）」、「レイヤーＮのゾーンラストリトゥンアドレス（ゾーンＬＷＡ）」、及び「レイヤーＮのビットマップ」などから構成されるデータ構造を有することとなる。ここでは、「ラストリトゥンアドレス（ＬＷＡ）」、「ラストベリファイドアドレス（ＬＶＡ）」、「ビットマップ開始アドレス」、「ビットマップ長」、「ラストアンリトゥンアドレス（ＬＵＡ）」、「ゾーンラストリトゥンアドレス（ゾーンＬＷＡ）」、及び「ビットマップ」の各情報は記録層ごとにそれぞれ独立して格納される。ここでも、「レイヤーＮのラストリトゥンアドレス（ＬＷＡ）」、「レイヤーＮのラストアンリトゥンアドレス（ＬＵＡ）」、「レイヤーＮのゾーンラストリトゥンアドレス（ゾーンＬＷＡ）」及び「レイヤーＮのビットマップ」の位置は、これに限定されるものではない。
【０１８９】
この場合には、例えば、ＢＧＦ処理におけるイニシャル処理の完了直後では、レイヤー番号Ｎ＝０である管理情報内のＬＷＡには、リードイン領域の終了アドレスが格納され、レイヤー番号Ｎ＝１である管理情報内のＬＷＡには、記録層Ｍ1の中間領域の終了アドレスが格納される。そして、記録層Ｍ0のデータ領域にデータが記録されると、レイヤー番号Ｎ＝０である管理情報内のＬＷＡには、記録層Ｍ0のデータ領域の開始位置から連続してデータが記録されている領域の終了アドレスが格納される。また、記録層Ｍ1のデータ領域にデータが記録されると、レイヤー番号Ｎ＝１である管理情報内のＬＷＡには、記録層Ｍ1のデータ領域の開始位置から連続してデータが記録されている領域の終了アドレスが格納される。すなわち、レイヤー番号Ｎ＝０である管理情報内のＬＷＡ及びレイヤー番号Ｎ＝１である管理情報内のＬＷＡは、それぞれ独立して設定される。そして、各ＬＷＡを参照することにより、擬似データ領域の開始位置から連続してデータが記録されている領域の終了アドレスを知ることができる。また、「レイヤーＮのラストアンリトゥンアドレス（ＬＵＡ）」はレイヤー番号Ｎ＝１に特有の情報であるため、レイヤー番号Ｎ＝０の管理情報では当該領域には「００００００００ｈ」が格納される。さらに、「レイヤーＮのゾーンラストリトゥンアドレス（ゾーンＬＷＡ）」はレイヤー番号Ｎ＝１に特有の情報であるため、レイヤー番号Ｎ＝０の管理情報では当該領域には「００００００００ｈ」が格納される。
【０１９０】
また、上記実施形態において、一例として図２２に示されるように、前記擬似的に分割された各ゾーンの位置に関する情報を管理情報に含ませても良い。ここでは、ゾーン数ｍ、ゾーン１の開始アドレス、ゾーン１の終了アドレス、・・・・・、ゾーンｍの開始アドレス、ゾーンｍの終了アドレスが設けられている。なお、開始アドレス及び終了アドレスのいずれかであっても良い。この場合に、上記実施形態では、記録層Ｍ0内の各ゾーンと記録層Ｍ1内の各ゾーンとは、それぞれ同一半径位置に設定されていることから、各ゾーンの開始アドレス及び終了アドレスは、記録層Ｍ0内の各ゾーンの開始アドレス及び終了アドレスであっても良いし、記録層Ｍ1内の各ゾーンの開始アドレス及び終了アドレスであっても良い。
【０１９１】
さらに、一例として図２３に示されるように、図２１に示される管理情報に前記擬似的に分割された各ゾーンの位置に関する情報を含ませても良い。この場合には、記録層Ｍ0の管理情報における各ゾーンの開始アドレス及び終了アドレスには、記録層Ｍ0内の各ゾーンの開始アドレス及び終了アドレスが格納され、記録層Ｍ1の管理情報における各ゾーンの開始アドレス及び終了アドレスには、記録層Ｍ1内の各ゾーンの開始アドレス及び終了アドレスが格納される。
【０１９２】
また、上記実施形態では、ゾーンＬＷＡが１つの場合について説明したが、これに限らず、例えば、記録層Ｍ1内に存在するゾーン毎にゾーンＬＷＡが設定されても良い。この場合の管理情報のデータ構造の一例が、図２４に示されている。ここでは、ゾーン１のゾーンＬＷＡ、・・・・・、ゾーンｍのゾーンＬＷＡが設けられている。
【０１９３】
また、上記実施形態では、ＬＷＡが記録層Ｍ0及び記録層Ｍ1のいずれに属していても、ゾーンＡとゾーンＢのうち、ディスクの内周側に位置するゾーンからディアイス処理を行うものとしているが、ＬＷＡが記録層Ｍ1に属する場合には、記録層Ｍ0のデータ領域のすべてにデータが記録されていることが明白なため、ＤＶＤ−ＲＯＭとの論理的な互換性を付与するには、記録層Ｍ1のデータ領域のすべてにデータが記録されることが必要がある。従って、上記ステップ４２９において、ゾーンＡが記録層Ｍ1に属する場合には、直ちに上記ステップ４３９に移行しても良い。
【０１９４】
また、上記実施形態では、ＢＧＦ処理中の排出処理において、ＬＷＡ、ＬＵＡ、ゾーンＬＷＡ及びビットマップ情報を光ディスク１５の管理情報領域に記録する場合について説明したが、少なくともＬＵＡが管理情報領域に記録されれば良い。
【０１９５】
また、上記実施形態では、ビットマップ情報に、記録層Ｍ0のデータ領域におけるデータが記録されていない未記録領域を識別するための情報と、記録層Ｍ1のデータ領域におけるユーザデータが記録された領域を識別するための情報とが格納される場合について説明したが、記録層Ｍ0のデータ領域におけるデータが記録されていない未記録領域を識別するためのビットマップ情報と、記録層Ｍ1のデータ領域におけるユーザデータが記録された領域を識別するためのビットマップ情報とが個別に設けられても良い。さらに、ビットマップ情報は、ＬＷＡ以降の領域にユーザデータが記録されているか否かを識別するためのフラグ（識別フラグ）であっても良い。
【０１９６】
また、上記実施形態では、記録層Ｍ0に内周側から外周側に向かって増加する物理アドレスが割り振られており、記録層Ｍ1に外周側から内周側に向かって増加する物理アドレスが割り振られている場合について説明したが、これに限らず、記録層Ｍ0に外周側から内周側に向かって増加する物理アドレスが割り振られ、記録層Ｍ1に内周側から外周側に向かって増加する物理アドレスが割り振られても良い。
【０１９７】
また、上記実施形態では、ＬＷＡに、擬似データ領域の開始位置から連続してデータが記録されている領域の終了アドレスが格納される場合について説明したが、これに限らず、例えば、上記ＢＧＦ処理の一部変更を要するが、擬似データ領域の開始位置から連続してデータが記録されている領域の終了アドレスの次のアドレスが格納されても良い。要するに、擬似データ領域の開始位置から連続してデータが記録されている領域を特定することが可能であれば良い。
【０１９８】
また、上記実施形態では、ＬＵＡに、記録層Ｍ1のデータ領域内の未記録領域のうち最もディスクの内周側に位置する領域の終了アドレスが格納される場合について説明したが、これに限らず、例えば、上記ＢＧＦ処理の一部変更を要するが、記録層Ｍ1のデータ領域内の未記録領域のうち最もディスクの内周側に位置する領域の終了アドレスの次のアドレスが格納されても良い。また、記録層Ｍ1のデータ領域の終了位置にその終了位置が一致しているデータが記録されている記録層Ｍ1のデータ領域内の領域の先頭アドレスを示すポインタ情報が格納されても良い。要するに、記録層Ｍ1のデータ領域の終了位置にその終了位置が一致している、データが記録されている記録層Ｍ1内の領域を特定することが可能であれば良い。
【０１９９】
また、上記実施形態では、監視対象ゾーンの開始位置から連続してデータが記録されていなければ、ゾーンＬＷＡには監視対象ゾーンの開始アドレスがセットされる場合について説明したが、これに限らず、監視対象ゾーンの手前（外周側）のゾーンの終了アドレスがセットされても良い。要するに監視対象ゾーンの開始位置から連続してデータが記録されていないことがわかれば良い。
【０２００】
また、上記実施形態では、本発明に係るプログラムは、フラッシュメモリ３９に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９にロードされれば良い。
【０２０１】
また、上記実施形態では、光ディスクがＤＶＤ系と同等の物理特性を有する場合について説明したが、本発明がこれに限定されるものではなく、例えば約４０５ｎｍの波長の光に対応した次世代の情報記録媒体と同等の物理特性を有しても良い。
【０２０２】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。この場合に、少なくともいずれかの光ディスクが多層ディスクであっても良い。
【０２０３】
また、上記実施形態では、情報記録媒体が光ディスクの場合について説明したが、これに限定されるものではない。この場合には、光ディスク装置に代えて、情報記録媒体に対応した情報記録装置が用いられる。
【０２０４】
また、上記実施形態では、各記録層のデータ領域をそれぞれゾーン［Ｎ：０］（Ｎはレイヤー番号、Ｎ＝０，１）からゾーン［Ｎ：３］までの４つのゾーンに擬似的に分割する場合について説明したが、これに限らず、４つ以外のゾーンに擬似的に分割しても良い。また、各記録層のデータ領域をそれぞれ複数のゾーンに擬似的に分割しなくても良い。
【０２０５】
《変形例》
各記録層のデータ領域をそれぞれ複数のゾーンに擬似的に分割しない場合について、上記実施形態のＢＧＦ処理の変形例として、図２５（Ａ）〜図２８（Ｃ）を用いて説明する。
【０２０６】
ここでは、説明を簡単にするため、光ディスク１５は、イニシャル処理後、直ちにユーザデータが記録され、そして排出されるものとする。また、ユーザデータは記録層Ｍ0のデータ領域の開始アドレスから連続的に行われるものとする。さらに、排出された光ディスク１５は、片面２層ＤＶＤ−ＲＯＭと論理的な互換性を有するものとする。
【０２０７】
イニシャル処理を完了したときの各記録層の状態が、一例として図２５（Ａ）に示されている。すなわち、リードインの一部のみが記録されている。この場合の管理情報は、一例として図２６（Ａ）に示されるように、「識別ＩＤ」、「未知の識別ＩＤに対する制約情報」、「ドライブＩＤ」、「更新回数」、「フォーマットステータス」、「ラストリトゥンアドレス（ＬＷＡ）」、「ラストベリファイドアドレス（ＬＶＡ）」、「ビットマップ開始アドレス」、「ビットマップ長」、「ディスクＩＤ」、「ラストアンリトゥンアドレス（ＬＵＡ）」、及び「ビットマップ」などから構成されるデータ構造を有している。すなわち、上記実施形態における管理情報からゾーンＬＷＡが除かれたデータ構造となっている。ここでも、「ラストリトゥンアドレス（ＬＷＡ）」、「ラストアンリトゥンアドレス（ＬＵＡ）」、及び「ビットマップ」の位置は、これに限定されるものではない。
【０２０８】
なお、この場合にも、一例として図２６（Ｂ）に示されるように、記録層毎に管理情報を設けても良い。ここでは、記録層Ｎの管理情報は、「識別ＩＤ」、「未知の識別ＩＤに対する制約情報」、「ドライブＩＤ」、「更新回数」、「フォーマットステータス」、「レイヤーＮのラストリトゥンアドレス（ＬＷＡ）」、「レイヤーＮのラストベリファイドアドレス（ＬＶＡ）」、「レイヤーＮのビットマップ開始アドレス」、「レイヤーＮのビットマップ長」、「ディスクＩＤ」、「レイヤー番号」、「レイヤーＮのラストアンリトゥンアドレス（ＬＵＡ）」、及び「レイヤーＮのビットマップ」などから構成されるデータ構造を有している。ここでも、「レイヤーＮのラストリトゥンアドレス（ＬＷＡ）」、「レイヤーＮのラストアンリトゥンアドレス（ＬＵＡ）」、及び「レイヤーＮのビットマップ」の位置は、これに限定されるものではない。
【０２０９】
イニシャル処理が完了すると、上位装置９０にフォーマット終了が通知され、光ディスク１５へのユーザデータの記録が可能となる。このときには、上記実施形態と同様に、ＬＷＡには初期値としてリードイン領域の終了アドレスがセットされ、ＬＵＡには初期値として記録層Ｍ1のデータ領域の終了アドレスがセットされている。そして、ビットマップ情報は全てのビットに“１”がセットされている。
【０２１０】
イニシャル処理の完了後、ユーザデータの記録要求があると、一例として図２５（Ｂ）に示されるように、記録層Ｍ0のデータ領域の開始アドレスからユーザデータが記録される。そして、ユーザデータの記録に従ってＬＷＡは更新され、ユーザデータが記録された領域に対応したビットマップ情報のビット値が“０”に変更される。
【０２１１】
図２５（Ｂ）に示される状態のときに、ディスク排出要求があると、データ（ここではユーザデータ）が記録されている領域の終了位置と同一の半径位置にある記録層Ｍ1のデータ領域内の位置（対応位置）以降にある未記録領域にダミーデータが記録される。そして、このダミーデータが記録された領域の手前のアドレスが新たなＬＵＡとなる。なお、ダミーデータが記録された記録層Ｍ1のデータ領域に対応するビットマップ情報のビット値は“１”のままとしている。
【０２１２】
次に、一例として図２５（Ｃ）に示されるように、ＬＷＡに続く記録層Ｍ0の領域、及び、ＬＵＡの手前の記録層Ｍ1の領域に所定の大きさの一時的な中間領域が記録される。そして、リードアウトが記録される。これにより、未記録領域を含まないインフォメーション領域が形成され、光ディスク１５は、ＤＶＤ−ＲＯＭとの論理的な互換性を有することとなる。
【０２１３】
続いて、図２５（Ｃ）の状態で排出された光ディスク１５を、再び光ディスク装置２０にセットし、ユーザデータの記録及びディスクの排出を行う場合について説明する。
【０２１４】
ＢＧＦ処理途中の光ディスク１５がセットされると、ＢＧＦ処理が再開される。この場合には、ユーザデータの記録は直ちに可能となる。ここで、ＬＷＡに続く領域へのユーザデータの記録要求があると、一例として図２７（Ａ）に示されるように、記録層Ｍ0の中間領域は、ユーザデータで上書きされる。これに伴い、ＬＷＡも更新され、ユーザデータが記録された領域に対応するビットマップ情報のビット値が“０”に変更される。
【０２１５】
続いて、光ディスク１５が図２７（Ａ）に示される状態のときに、ディスク排出要求があると、一例として図２７（Ｂ）に示されるデータ（ここではユーザデータ）が記録されている記録層Ｍ0の領域の終了位置と同一の半径位置にある記録層Ｍ1のデータ領域内の位置（対応位置）以降にある未記録領域にダミーデータが記録される。ここでは、ＬＷＡ直上に位置する記録層Ｍ1のアドレスからＬＵＡまでの領域がダミーデータで記録される。そして、このダミーデータが記録された領域の手前のアドレスが新たなＬＵＡとなる。なお、ダミーデータが記録された記録層Ｍ1のデータ領域に対応するビットマップ情報のビット値は“１”のままとしている。
【０２１６】
次に、一例として図２７（Ｃ）に示されるように、ＬＷＡに続く記録層Ｍ0の領域、及び、ＬＵＡの手前の記録層Ｍ1の領域に所定の大きさの一時的な中間領域が記録される。これにより、未記録領域を含まないインフォメーション領域が形成され、光ディスク１５は、ＤＶＤ−ＲＯＭとの論理的な互換性を有することとなる。
【０２１７】
このように、本変形例においても、上記実施形態と同様に、再生専用の情報記録媒体との互換性を短時間で付与することができる。
【０２１８】
なお、上記変形例はＢＧＦ処理に関連しているが、例えば、データ領域の開始から連続して記録が行われるシーケンシャル記録の場合に、ＢＧＦ処理とは無関係に、ＬＵＡなどの情報に基づいて、記録層Ｍ1に記録されたダミーデータを管理することも可能である。
【０２１９】
ここで、ＢＧＦ処理中にディスク排出要求があったときに、一例として図２８（Ａ）に示されるように、ＬＵＡ以降の領域（物理アドレスＸ'とする）にユーザデータが記録されている場合について説明する。なお、物理アドレスＸ'の位置にユーザデータが記録されていることはこの領域に対応するビットマップ情報のビット値が“０”になっていることから判別可能である。これは、記録層Ｍ1のデータ領域に対応したビットマップ情報のビット値は、ユーザデータが記録された領域に対してのみ“０”に変更されるためである。従って、ＬＵＡ以降に記録されているダミーデータとユーザデータは、ビットマップ情報を参照することにより明確に区別することが可能である。
【０２２０】
この場合には、ＬＷＡからＬＵＡまでのデータ領域内の未記録領域をダミーデータで記録する。ここでは、一例として図２８（Ｂ）に示されるように、ＬＷＡから記録層Ｍ0のデータ領域の終了アドレス（ここでは、Ｍ−１）までの領域と、記録層Ｍ1のデータ領域の開始アドレスからＬＵＡまでの領域がダミーデータで記録される。
【０２２１】
続いて、一例として図２８（Ｃ）に示されるように、各記録層の中間領域と、リードイン領域の残り、及びリードアウト領域の残りに所定のデータが記録される。
【０２２２】
以上に述べたように、ＬＵＡ以降の領域にユーザデータが記録されていない場合と、ＬＵＡ以降の領域にユーザデータが記録されている場合とでは、ＤＶＤ−ＲＯＭとの論理的な互換性を付与するための処理が異なる。これは、前述したように、中間領域の位置によって、記録層Ｍ1のデータ領域に対する論理アドレスの振られ方が異なるためである。
【０２２３】
すなわち、図２８（Ａ）の物理アドレスＸ'の領域にユーザデータが記録された時点では、中間領域は物理アドレスＭの位置に設定されているため、物理アドレスＸ'の位置の論理アドレスは（２Ｍ−Ｘ）−３００００ｈである。従って、記録されたユーザデータ（例えばファイルなど）はこの論理アドレスとともにファイル管理情報により管理される。
【０２２４】
この場合に、仮に、ＬＵＡ以降の領域にユーザデータが記録されていない場合と同様に、ＬＷＡ（物理アドレスＮ−１とする）の対応位置のアドレスからＬＵＡまでの領域をダミーデータで記録し、ＬＷＡ以降の領域及び対応位置手前の領域にそれぞれ一時的な中間領域を設定すると、物理アドレスＸ'に記録されたユーザデータの論理アドレスは（２Ｎ−Ｘ）−３００００ｈとなり、ファイル管理情報にて管理されているファイルの格納位置と、実際のデータ記録位置とが異なるという不都合が生じる。
【０２２５】
従って、記録層Ｍ1における物理アドレスと論理アドレスとの対応関係上、記録層Ｍ1にユーザデータが記録された後で、中間領域の位置を変更することはできない。
【図面の簡単な説明】
【０２２６】
【図１】本発明の一実施形態に係る光ディスク装置の構成を示すブロック図である。
【図２】市販されている１層ＤＶＤにおけるインフォメーション領域のレイアウトを説明するための図である。
【図３】市販されているＰＴＰ方式の２層ＤＶＤにおけるインフォメーション領域のレイアウトを説明するための図である。
【図４】市販されているＯＴＰ方式の２層ＤＶＤにおけるインフォメーション領域のレイアウトを説明するための図である。
【図５】ＤＶＤ＋ＲＷにおけるインフォメーション領域のレイアウトを説明するための図である。
【図６】図６（Ａ）〜図６（Ｃ）は、それぞれＤＶＤ＋ＲＷにおけるＢＧＦ処理を説明するための図（その１）である。
【図７】図７（Ａ）及び図７（Ｂ）は、それぞれＤＶＤ＋ＲＷにおけるＢＧＦ処理を説明するための図（その２）である。
【図８】ＤＶＤ＋ＲＷにおける管理情報を説明するための図である。
【図９】図１の光ディスク１５の記録層を説明するための図である。
【図１０】光ディスク１５におけるインフォメーション領域のレイアウトを説明するための図である。
【図１１】光ディスク１５のデータ領域におけるゾーンを説明するための図である。
【図１２】図１０の管理情報領域に記録される管理情報を説明するための図である。
【図１３】図１の光ディスク装置におけるＢＧＦ処理を説明するためのフローチャートである。
【図１４】図１４（Ａ）〜図１４（Ｃ）は、それぞれ図１の光ディスク装置におけるＢＧＦ処理を説明するための図（その１）である。
【図１５】図１５（Ａ）〜図１５（Ｃ）は、それぞれ図１の光ディスク装置におけるＢＧＦ処理を説明するための図（その２）である。
【図１６】図１１のＢＧＦ処理の途中でユーザデータの記録要求があったときの処理を説明するためのフローチャートである。
【図１７】図１１のＢＧＦ処理の途中でディスクの排出要求があったときの処理を説明するためのフローチャートである。
【図１８】図１８（Ａ）〜図１８（Ｃ）は、それぞれ図１１のＢＧＦ処理の途中でディスクの排出要求があったときの処理を説明するための図（その１）である。
【図１９】図１９（Ａ）及び図１９（Ｂ）は、それぞれ図１１のＢＧＦ処理の途中でディスクの排出要求があったときの処理を説明するための図（その２）である。
【図２０】図２０（Ａ）及び図２０（Ｂ）は、それぞれ論理アドレスを説明するための図である。
【図２１】管理情報領域に記録される管理情報の他の例１を説明するための図である。
【図２２】管理情報領域に記録される管理情報の他の例２を説明するための図である。
【図２３】管理情報領域に記録される管理情報の他の例３を説明するための図である。
【図２４】管理情報領域に記録される管理情報の他の例４を説明するための図である。
【図２５】図２５（Ａ）〜図２５（Ｃ）は、それぞれ図１の光ディスク装置におけるＢＧＦ処理の変形例（その１）を説明するための図である。
【図２６】図２６（Ａ）及び図２６（Ｂ）は、それぞれ図２５の変形例における管理情報を説明するための図である。
【図２７】図２７（Ａ）〜図２７（Ｃ）は、それぞれ図１の光ディスク装置におけるＢＧＦ処理の変形例（その２）を説明するための図である。
【図２８】図２８（Ａ）〜図２８（Ｃ）は、それぞれＢＧＦ処理の途中でディスクを排出する際に、ＬＵＡ以降にユーザデータが記録されている場合を説明するための図である。
【符号の説明】
【０２２７】
１５…光ディスク（情報記録媒体）、２０…光ディスク装置（情報記録装置）、２３…光ピックアップ装置（記録手段の一部）、２４…レーザ制御回路（記録手段の一部）、２５…エンコーダ（記録手段の一部）、３９…フラッシュメモリ（記録媒体）、４０…ＣＰＵ（処理装置、フォーマット手段）。
【図１】
2006031740.tif 000003
【図２】
2006031740.tif 000004
【図３】
2006031740.tif 000005
【図４】
2006031740.tif 000006
【図５】
2006031740.tif 000007
【図６】
2006031740.tif 000008
【図７】
2006031740.tif 000009
【図８】
2006031740.tif 000010
【図９】
2006031740.tif 000011
【図１０】
2006031740.tif 000012
【図１１】
2006031740.tif 000013
【図１２】
2006031740.tif 000014
【図１３】
2006031740.tif 000015
【図１４】
2006031740.tif 000016
【図１５】
2006031740.tif 000017
【図１６】
2006031740.tif 000018
【図１７】
2006031740.tif 000019
【図１８】
2006031740.tif 000020
【図１９】
2006031740.tif 000021
【図２０】
2006031740.tif 000022
【図２１】
2006031740.tif 000023
【図２２】
2006031740.tif 000024
【図２３】
2006031740.tif 000025
【図２４】
2006031740.tif 000026
【図２５】
2006031740.tif 000027
【図２６】
2006031740.tif 000028
【図２７】
2006031740.tif 000029
【図２８】
2006031740.tif 000030